(57)【特許請求の範囲】
【請求項１】
周波数計測可能なスイッチドモード電源（ＳＭＰＳ）をダイナミックに調整する方法であって、前記方法は、
無線通信ロードコンポーネント用の動作モードを決定することと、
前記動作モードの電源要件を決定することと、
前記電源要件に従って前記無線通信ロードコンポーネントの前記動作モードに電力を供給するために、ＳＭＰＳに適したスイッチング周波数ソースを選択することと、
を具備し、
前記電源要件は、前記動作モードに対応する入力電源上で運ばれたノイズ用の無線周波数感度を具備する。
【請求項２】
前記無線周波数感度の帯域内にスイッチング周波数の整数の倍数を有するスイッチング周波数を選択することをさらに具備する、請求項１の方法。
【請求項３】
前記無線周波数感度の帯域内に中心周波数を有するスイッチング周波数を選択することをさらに具備する、請求項１の方法。
【請求項４】
前記動作モードの前記無線周波数感度は、電磁障害の影響を受けやすい隣接したコンポーネントにより発生する、請求項１の方法。
【請求項５】
前記電源要件は、前記動作モードのピークロード電流をさらに有する、請求項１の方法。
【請求項６】
前記ロードコンポーネントの感知可能な無線周波数で弱められたスイッチング周波数スペクトルを生成するクロックソースを選択することをさらに具備する、請求項１の方法。
【請求項７】
クロックソースの計測バージョンを選択することをさらに具備する、請求項１の方法。
【請求項８】
ＳＭＰＳクロック発振ブロックを使用して、クロックソースの周波数を変更することにより、前記クロックソースの計測バージョンを選択することをさらに具備する、請求項７の方法。
【請求項９】
プログラマブル分周器モジュラスを備えた周波数分割器を具備するＳＭＰＳクロック発振ブロックを使用して、前記クロックソースの前記周波数を変更することをさらに具備する、請求項８の方法。
【請求項１０】
周波数計測可能なスイッチドモード電源（ＳＭＰＳ）をダイナミックに調整するための装置であって、前記装置は、
無線通信ロードコンポーネント用の動作モードを決定するためのモード検出器と、
前記動作モードの電源要件を決定するためのスイッチング周波数セレクタコンポーネントと、
前記無線通信ロードコンポーネントを供給するスイッチドモード電源（ＳＭＰＳ）と、
前記電源要件に従って前記無線通信ロードコンポーネントの前記動作モードに電力を供給するために、ＳＭＰＳに適したスイッチング周波数ソースを選択するためのスイッチング周波数セレクタコンポーネントと、
を具備し、
前記電源要件は、前記動作モードに対応する入力電源上で運ばれたノイズ用の無線周波数感度を具備する。
【請求項１１】
前記スイッチング周波数セレクタコンポーネントは、さらに、無線周波数感度の帯域内にスイッチング周波数の整数の倍数を有するスイッチング周波数を選択する、請求項１０の装置。
【請求項１２】
前記スイッチング周波数セレクタコンポーネントは、さらに、前記無線周波数感度の帯域内に中心周波数を有するスイッチング周波数を選択する、請求項１０の装置。
【請求項１３】
前記動作モードの前記無線周波数感度は、電磁障害の影響を受けやすい隣接したコンポーネントにより発生する、請求項１０の装置。
【請求項１４】
前記電源要件は、前記動作モードのピークロード電流をさらに有する、請求項１０の装置。
【請求項１５】
前記ロードコンポーネントの感知可能な無線周波数で弱められたスイッチング周波数スペクトルを生成するクロックソースを選択するための前記周波数セレクタコンポーネントをさらに具備する、請求項１０の装置。
【請求項１６】
クロックソースの計測バージョンを選択するための前記周波数セレクタコンポーネントをさらに具備する、請求項１０の装置。
【請求項１７】
前記スイッチング周波数セレクタコンポーネントは、さらに、ＳＭＰＳクロック発振ブロックを使用して、クロックソースの周波数を変更することにより、前記クロックソースの計測バージョンを選択する、請求項１６の装置。
【請求項１８】
前記スイッチング周波数セレクタコンポーネントは、さらに、プログラマブル分周器モジュラスを備えた周波数分割器を具備するＳＭＰＳクロック発振ブロックを使用して、前記クロックソースの周波数を変更する、請求項１６の装置。
【発明の詳細な説明】
【Ｕ．Ｓ．Ｃ§１１９に基づく優先権の主張】
【０００１】
この特許出願は、２００８年３月３１日に出願され、「DYNAMIC FREQUENCY SCALING OF A SWITCHED MODE POWER SUPPLY」とタイトルをつけられた、米国仮出願第６１／０４１，０８５号の利益を主張する。この出願の全体は、参照によって明確にここに組み込まれる。
【分野】
【０００２】
明細書の主題は、スイッチドモード電源、特に、無線通信用の動作モードの少なくとも一部に基づいたスイッチング周波数をダイナミックに調整するスイッチドモード電源、またはモードが動作する帯域またはチャネルに一般に関係がある。
【背景】
【０００３】
無線通信では、情報は、特定周波数帯域を備えた周波数を備えたキャリアを通ってエアー・インターフェース上で、一般的に多重化され、変調され、デジタル化され、伝達される。たとえ大多数の帯域が制限されても、多数の無線通信帯域は利用可能である。無線帯域は、無線通信用の独自技術に関係しているかもしれない。これらの技術の各々は、特定の方法で、無線通信用のモード（各モードは、帯域幅を開発する）、または技術に割り当てられた利用可能なスペクトルスペースを提供する。様々な技術によって通信のために一般に使用された特定の態様は、無線通信用の動作モード、または単に動作モードであると確認される。動作モードの実例となる例は、ＧＳＭ（登録商標）（global system for mobile communications）、ＥＶＤＯ（Evolution Data Optimized）、ＣＤＭＡ（code division multiple access：符号分割多元接続）、ＷＣＤＭＡ（wideband code division multiple access：広帯域符号分割多元接続）、ＵＭＴＳ（universal mobile telecommunication system）、ＵＭＢ（ultra-mobile broadband）、ＨＳＰＡ（high speed packet access）、ＷｉＭＡＸ（Worldwide Interoperability for Microwave Access）、ＧＰＳ（global positioning system：全世界測位システム）、ＧＬＯＮＡＳＳ（Global’naya Navigatsionnaya Sputnikova Sistema, or Global Navigation Satellite System (English)）、Ｂｌｕｅｔｏｏｔｈ（登録商標）などを含んでいる。
【０００４】
動作モードは、特別の動作モードによって信号を伝達および受信するために、アナログとデジタル信号に対する動作およびそれらの相互の変換を助ける電子回路と同様に、通信（例えば、周波数分割多重化、時分割多重化、符号分割多重、振幅変調、周波数変調、位相変調、…）のためのプロトコルおよび通信プロトコルをサポートする形式に関連させた。無線デバイスでは、電力は、特定範囲内の直流（ＤＣ）電圧の大部分の範囲を伝えるバッテリによって提供される。バッテリ電源は、表示電子機器、サウンドエレクトロニクス、プログラマブル・ロジック・アレイ、アプリケーション・プロセッサ、メモリなどのようなエレクトロニクスをサポートするのと同様に、無線通信を助ける様々な電子回路に電力を供給するために、介在回路または電源によって一般的にＤＣ電圧に変換される。効率的な電力マネジメントを行なうために、スイッチドモード電源（ＳＭＰＳ）は、無線通信で一般に使用される。従来方式では、ＳＭＰＳは、固定されたスイッチング周波数（それは、無線デバイスが電源オンするときに一般にセットされる）で動作し、動作の間中、固定され続ける。与えられた動作モードにふさわしいスイッチング周波数の決定は、時間消費でもよく、ラボラトリー試験に依存する。しかしながら、そのようなコストは、実質的に単一モード動作で動作する従来方式で当然かもしれない。
【０００５】
無線技術が個人の日常業務でのその存在を増加させ続けるとともに、市場動向は、例えば、データ率、コンテントおよびモビリティの改善されたサービスを届けるために目的を備えた無線技術進歩を極度に駆り立てている。さらに、期待され一貫した無線存在を保証するために、ビジネスと個人の開発が現実に広域になるとともに、無線デバイスは、単一モード装置からマルチモード、マルチサービスワークおよび娯楽移動体プラットフォームまで移動している。従って、単一モードおよびサービス（例えば、ボイス）のために最適化された静止スイッチング周波数で動作するＳＭＰＳによって一般的に遂行された電力マネジメントは、効率的に性能劣化の導入なしで動作することができないとなっている。例として、ネットワークオペレータによって提供される無線サービスの豊富な種類を考慮して、ＳＭＰＳは、妨害または望まれたより低い電力効率の結果として、無線サービスの品質を下げ始めた。
【概要】
【０００６】
下記は、示された実施形態のいくつかの態様の基本的な理解を提供するために簡易化された概要を示す。この概要は、広範囲な概観でなく、キーや重大なエレメントを確認せず、そのような実施形態の範囲を線引きしないように意図される。その目的は、後で示されるさらに詳細な記述の前置きとして、簡易化された形式で記述された実施形態のいくつかの概念を提示することである。
【０００７】
１つの態様では、方法は、周波数計測可能なスイッチドモード電源（ＳＭＰＳ）をダイナミックに調整するために提供される。ロードコンポーネント用の動作モードが決定される。電源要件は、動作モードのために決定される。スイッチング周波数ソースは、電源要件に従ってロードコンポーネントの動作モードに電力を供給するために、ＳＭＰＳに適して選択されている。
【０００８】
別の態様では、少なくとも１つのプロセッサは、周波数計測可能なスイッチドモード電源（ＳＭＰＳ）をダイナミックに調整するために提供される。第１のモジュールは、ロードコンポーネント用の動作モードを決定する。第２のモジュールは、動作モードの電源要件を決定する。第３のモジュールは、電源要件に従ってロードコンポーネントの動作モードに電力を供給するために、ＳＭＰＳに適したスイッチング周波数ソースを選択する。
【０００９】
追加の態様では、コンピュータプログラムプロダクトは、周波数計測可能なスイッチドモード電源（ＳＭＰＳ）をダイナミックに調整するために提供される。コンピュータ可読記憶媒体は、コンピュータにロードコンポーネント用の動作モードを決定させるためのコードの第１のセットを具備する。コードの第２のセットは、コンピュータに動作モードの電源要件を決定させる。コードの第３のセットは、コンピュータに電源要件に従ってロードコンポーネントの動作モードに電力を供給するために、ＳＭＰＳに適したスイッチング周波数ソースを選択させる。
【００１０】
別の追加の態様では、装置は、周波数計測可能なスイッチドモード電源（ＳＭＰＳ）をダイナミックに調整するために提供される。手段は、ロードコンポーネント用の動作モードを決定するために提供される。手段は、動作モードの電源要件を決定するために提供される。手段は、電源要件に従ってロードコンポーネントの動作モードに電力を供給するために、ＳＭＰＳに適切したスイッチング周波数ソースを選択するために提供される。
【００１１】
さらなる態様では、装置は、周波数計測可能なスイッチドモード電源（ＳＭＰＳ）をダイナミックに調整するために提供される。モード検出器は、ロードコンポーネント用の動作モードを決定する。スイッチング周波数セレクタコンポーネントは、動作モードの電源要件を決定する。スイッチドモード電源（ＳＭＰＳ）は、ロードコンポーネントを供給する。スイッチング周波数セレクタコンポーネントは、電源要件に従ってロードコンポーネントの動作モードに電力を供給するために、ＳＭＰＳに適したスイッチング周波数ソースを選択する。
【００１２】
上記および関連した分野の成果のために、１つ以上の実施形態は、以下に全体に請求項に記述され特に指摘された特徴を具備する。次の記述および添付された図面は、詳細な特定の実例となる態様を説明し、実施形態の本質を採用してもよい少しだが様々な方法を表示する。図面と共に考慮された時、他の利点および新規な特徴は、次の詳細な記述から明白になるだろう。また、示された実施形態は、そのような態様およびそれらの等価物をすべて含むように意図される。
【図面の簡単な説明】
【００１３】
【図１】図１は、無線通信システムのユーザ機器のダイナミックに調整された電源回路のブロックダイヤグラムを描く。
【図２】図２は、図１のユーザ機器のための周波数計測可能なスイッチドモード電源用の電力をダイナミックに調整するための手順のフローダイヤグラムを描く。
【図３】図３は、移動局の動作モードの３つの例、異種の周波数帯域に依存する各動作モードを描く。
【図４】図４は、周波数計測されたスイッチドモード電源（ＳＭＰＳ）ソースを開発するユーザ機器の例のブロックダイヤグラムを描く。
【図５】図５は、スイッチドモード電源にクロックソースを一致させるクロック発振器の典型的な構成のブロックダイヤグラムを描く。
【図６】図６は、明細書の主題で説明された態様に従って異種のスイッチング周波数で電力効率対ロード電流を述べるＳＭＰＳのグラフィカルなプロットを描く。
【図７】図７は、明細書の主題で説明された態様に従って異種のスイッチング周波数で電力効率対ロード電流を述べるＳＭＰＳのグラフィカルなプロットを描く。
【図８】図８は、明細書の主題で説明された態様に従って異種のスイッチング周波数で電力効率対ロード電流を述べるＳＭＰＳのグラフィカルなプロットを描く。
【図９】図９は、ここで記述された態様に従ってＳＭＰＳのセットによって電力マネジメント用の１つ以上のスイッチング周波数をダイナミックに選びセットすることができる典型的なユーザ機器のブロックダイヤグラムを描く。
【図１０】図１０は、ここで記述された態様に従って無線モバイルデバイスの電力マネジメントを提供するＳＭＰＳのスイッチング周波数をダイナミックに計測するための典型的な手順のフローダイヤグラムを描く。
【図１１】図１１は、ここで記述された態様に従って無線モバイルデバイスの電力マネジメントを提供するＳＭＰＳのスイッチング周波数をダイナミックに計測するための別の典型的な手順のフローダイヤグラムを描く。
【図１２】図１２は、ここで記述された態様に従って無線モバイルデバイスの電力マネジメントを提供するＳＭＰＳのスイッチング周波数をダイナミックに調整するための付加的な典型的な手順のフローダイヤグラムを描く。
【図１３】図１３は、ここで述べられた態様によるＳＭＰＳのスイッチング用の適切な周波数を決定するための別の追加の典型的な手順のフローダイヤグラムを描く。
【図１４】図１４は、またここで述べられた態様によるＳＭＰＳのスイッチング用の適切な周波数を決定するための別の典型的な手順のフローダイヤグラムを描く。
【図１５】図１５は、ここで記述された態様によるレシーバの障害を緩和するためのさらに典型的な手順のフローダイヤグラムを描く。
【図１６】図１６は、ここで述べられた１つ以上の態様に従って無線通信環境でスイッチング周波数計測を可能にすることができる典型的なレシーバシステムのブロックダイヤグラムを描く。
【図１７】図１７は、ここで記述された態様に従って位相ノイズがある状態でネットノイズ評価の生成を可能にする典型的なシステムのブロックダイヤグラムを描く。
【詳細な説明】
【００１４】
様々な実施形態は、図面を参照して今記述される。ここで、同等の参照数字は、初めから終わりまで同等のエレメントを参照するために使用される。次の記述では、説明の目的のために、多数の特定の詳細は、１つ以上の実施形態の十分な理解を提供するために述べられる。それは明白かもしれない。しかしながら、そのような実施形態は、これらの特定の詳細なく実行されてもよい。他のインスタンスでは、よく知られた構造およびデバイスは、１つ以上の実施形態の記述を助けるためにブロックダイヤグラムの形で示される。
【００１５】
この出願で使用されるように、「コンポーネント」、「モジュール」、「システム」、「プラットフォーム」および同様のものは、コンピュータ関連のエンティティ、または、１以上の特定の機能を備えた操作上のマシンまたは電子器具と関係するエンティティを指すように意図される。そのようなエンティティは、ハードウェア、ファームウェア、ハードウェアおよびソフトウェア、ハードウェアおよびファームウェアの組み合わせ、ソフトウェアまたは実行中のソフトウェアになりえる。例えば、コンポーネントは、プロセッサ上で走るプロセス、プロセッサ、オブジェクト、実行ファイル、実行スレッド、プログラムおよび／またはコンピュータでよいが、限定されない。説明のために、コンピュータデバイス上で動作するアプリケーションおよびコンピュータデバイスの両方は、コンポーネントになりえる。１つ以上のコンポーネントは、プロセスおよび／または実行スレッド内に存在することができる。また、コンポーネントは、１つのコンピュータに集中され、および／または、２つ以上のコンピュータ間で分散されてもよい。さらに、これらのコンポーネントは、その上に格納された各種データ構造を有する様々なコンピュータ読取り可能な媒体から実行することができる。コンポーネントは、１つ以上のデータパケット（例えば、局所システム、分散システム、および／または信号経由の他のシステムを備えたインターネットのようなネットワークを介した別のコンポーネントと情報をやりとりする１つのコンポーネントからのデータ）を有する信号に従うようにローカルまたはリモートプロセス経由で伝達してもよい。
【００１６】
さらに、用語「または」は、排他的な「または」ではなく、包括的な「または」を意味することを意図する。すなわち、もし他の方法で指定されなかったか、文脈から明瞭でなかったならば、「Ｘは、ＡまたはＢを使用する」は、当然にどのような置換も含むことを意味するように意図される。つまり、ＸはＡを使用する；ＸはＢを使用する；または、ＸはＡとＢの両方を使用する場合、「ＸはＡまたはＢを使用する」は、先のインスタンスのうちのどの下でも満たされる。さらに、この出願および添付の請求項で使われるようなアーティクル「１つの（a）」、「１つの（an）」は、他の方法で指定されなかったか、複数形に指示されていることが文脈から明瞭でなかったならば、「１つ以上」を意味すると一般に解釈されるべきである。
【００１７】
さらに、ここで使用されるように、用語「送電網」は、ユニークなレギュレータによって電力が供給されるロードの特定のセットを定義する。ロードは、特定の通信機能を提供した電子回路またはチップセットを含んでいる。ロードは、ロードのそれ自身のセットに電力を供給するそれ自体の電圧レギュレータ（つまり、「サブレギュレータ」）でもよい。サブレギュレータは、その親レギュレータの出力の調整をさらに提供してもよい。または、サブレギュレータは、そのロードに伝達された電圧レベルを変更してもよい。または、サブレギュレータは、その親レギュレータに付けられた他のロードからそのロードを分離してもよい。
【００１８】
様々な実施形態は、無線ターミナルに関してここに記述される。無線ターミナルは、ユーザにボイスまたはデータの接続性を提供するデバイスを指してもよい。無線ターミナルは、ラップトップコンピュータまたはデスクトップコンピュータのような計算装置に接続されてもよい。または、それは、携帯情報端末（ＰＤＡ）のような内臓型デバイス、または携帯電話でもよい。無線ターミナルは、システム、加入者ユニット、加入者局装置、移動局、モバイル端末、モバイル、遠隔局、アクセスポイント、遠隔端末装置、アクセスターミナル、ユーザ端末、ユーザエージェント、ユーザ装置、ユーザ機器、無線装置、パーソナル通信システム（ＰＣＳ）電話、コードレス電話機、セッション設定プロトコル（ＳＩＰ）電話、無線・ローカル・ループ（ＷＬＬ）ステーションと呼ぶことができる。さらに、無線ターミナルは、無線接続能力を有するハンドヘルド装置、または無線モデムに接続された他の制御演算装置を指してもよい。
【００１９】
無線端末は、一般的には、１つ以上の基地局を備えたエアー・インターフェース上で通信する。通信は、１つ以上のセクタを通って行われることができる。各セクタは、サービスプロバイダまたはネットワークオペレータによって決定されたセル周波数プランニングに依存して特定周波数間隔の通信を保持することができる。さらに、無線端末は、基地局によって予定されるような通信リソース（例えば、時間周波数リソース）を利用することができる。基地局は、アクセスポイント、無線ブリッジ、アクセスポート、ノードＢ、エボルブノードＢ（ｅＮｏｄｅ  Ｂ）または他のある用語で呼ばれてもよい。無線通信が全世界測位システム（ＧＰＳ）デバイスのような、ノンセルラー動作をさらに具備することができることを認識されるべきである。
【００２０】
図面を参照して、図１で、無線通信システム１０は、ユーザ機器（ＵＥ）１２として描かれたアクセスターミナル（ＡＴ）とベースノード１４として描かれたネットワークとの間の無線通信をサポートする。代わりにまたはさらに、ネットワークは、アクセスポイント１６を具備することができる。明確にするために、ＵＥ１２は、ベースノード１４およびアクセスポイント１６をそれぞれ備えた１８、２０で描かれた、無線通信の２つのモードを同時にまたは連続して行なうこととして描かれる。特に、ベースノード１４を備えたモードＡ２２は、特定の電源要件を有する。それは、実例となる描写に、一定電圧ｖＡ−Ｂ、大電流ｉＡ、および入力電源上で運ばれたノイズ用の周波数感度ｆＡを具備する。アクセスポイント１６を備えたモードＢ２４は、異なる電源要件を有する。それは、実例となる描写に、一定電圧ｖＡ−Ｂ、比較的低い電流ｉＢ、および入力電源上で運ばれたノイズ用の周波数感度ｆＢを具備する。
【００２１】
特に、スリーピング、無線周波数（ＲＦ）送信、ＲＦ受信などのようなモードために、無線通信のシングルタイプのために異なる電源要件（「モード」）が発生する場合があることは、現開示の利益で評価されるべきである。さらに、１つのタイプの無線通信でさえ、この無線通信をサポートする多くのロードコンポーネントは、記憶メディアがアクセスされるとき、ユーザインターフェースが活性化されるときなどのように、変化する電源要件を持つことができる。従って、ＵＥ１２は、（描かれない）電源出力のモニタによってのように、電源要件の決定に反応する、ダイナミックに調整可能な電源回路２６を有することとして描かれる。典型的な描写では、ＲＦ回路３０として描かれた、ロードコンポーネントを指図するモードコントローラ２８は、電源回路２６のモード検出器３２にモード情報を提供する。モード検出器３２は、消費電力、制御信号、活性化した送電網の部分の指示、直接感知した電力消費レベル（例えば、平均または名目上の電流または電圧）などに関連したパラメータ値に基づいたモードを有利に決定することができる。
【００２２】
次に、ダイナミックに調整される電源回路３４は、インスタンス中でＲＦ回路３０の別の部分をサポートするように描かれる。ここで、異種のコンポーネント（「ロード・グリッド」）は、異なる電源で同時にサポートされる。１つの態様では、各電源回路２６、３４は、経済インプリメンテーション用の同一の周波数計測可能なスイッチドモード電源（ＳＭＰＳ）３６に基づくことができる。各電源回路２６、３４は、ＳＭＰＳ  ３６が適切なパワー特性を提供するようなスイッチング周波数ｆＳＷで、異なる選択されたクロック３８を提供することができる。代わりにまたはさらに、各電源回路２６、３４は、ロード必要条件をダイナミックに変更するのに適したような、このスイッチング周波数ｆＳＷをダイナミックに変更することができる。
【００２３】
典型的な電源回路２６では、スイッチング周波数セレクタ４０は、モード・ピーク電力要件４４およびモード周波数感度要件４６の両方を確認するために、モード検出器３２からの受信モード情報に応答する。しかしながら、単に１つの要求に４４と４６をアドレスすることから、ここに示された態様と一致する出願が利益を得る場合があることは認識されるべきである。例えば、ＵＥ１２は、電源要件を必ずしも変更することなく、周波数感度を変更する異なる送信または受信周波数で動作することができる。または、周波数感度のないコンポーネントは、電源要件の変更を有することができる。
【００２４】
この検知されたモードの取得パワー特性では、様々なモニタリングまたは予測回路は、インプリメントされるために使用することができる。典型的な電源回路２６では、スイッチング周波数モードルックアップ参照４８は、オリジナル機器製造業者によってインストールされまたはＵＥ１２によって経験的に学習され、この必要条件を捕らえる。例えば、消費電力と関係のあるパラメータは、感知することができる。パフォーマンスを効率よくするために、ロードコンポーネントのこの学習行為は、スイッチング周波数の選択における後学用にルックアップデータ構造（例えば、テーブル、データベース）で格納することができる。
【００２５】
必要条件を確認したまま、スイッチング周波数セレクタ４０は、クロックソース５０を選択することができる。典型的な電源回路２６では、オプションの範囲は、経済的な製造または他の拘束のために抑制される。例えば、１以上のクロック回路は、拡大または縮小、または、スイッチング周波数の範囲を提供するためにフィルタされることができる。代わりにまたはさらに、クロックソース５０は、恐らく感知可能な周波数を回避するために減じられたあるハーモニックスを備えた、それらのそれぞれの出力周波数スペクトルにおいて異なることができる。対照的に、低品質要因（Ｑ）を有することではなく、クロックソース５０は、下流部門の電源または電源調整回路（示されない）またはロードコンポーネント３０によってイリシットの適切なパフォーマンスのために、高い「Ｑ」を提供することができる。クロックソース５０におけるこれらの変化は、５４で描かれたような適切なピークロードでもなく、５６で描かれたような適切なＲＦ緩和でなく、最も高いスイッチング周波数クロック「Ｈ」５２として描かれる。クロック「Ｘ」５８は、周波数中で広げられた周波数スペクトラムを有する。それは、適切なＲＦ緩和であるが、適切なピークロードであるには高すぎる。クロック「Ｙ」６０は、電力および周波数感度要件の両方において適切である。クロック「Ｚ」６２は、適切な電力であるには十分低いが、適切なＲＦ緩和でない高いＱ中央周波数を有する。低スイッチング周波数クロック「Ｌ」６４は、消費電力（例えば、あまりにも多くの出力電流）によって適切ではない。
【００２６】
先の利益によって、それに調整可能な動作周波数およびクロックソースがありうることは認識されるべきである。さらに、クロックソースには、異なる品質がありえる。動作モード（例えば、ロード値、周波数必要条件、クロック品質など）に基づいて、ＳＭＰＳ周波数およびクロックソースは調整することができる（つまり、ＳＭＰＳのセットのために独自にまたは共同で）。ＳＭＰＳ周波数およびクロックソースの選択は、ルックアップテーブルにおいて利用可能または要求されたように急いで計算されるように、予め定められた値に基づくことができる。
【００２７】
図２で、手順７０は、無線システム内で動作する周波数計測可能なスイッチドモード電源（ＳＭＰＳ）をダイナミックに調整するために提供される。それは、用語「ダイナミックな」は、アプリケーションの異なる必要条件毎に異なった共通のＳＭＰＳ設計の周波数スイッチングをセットして、ＯＥＭによって決定することができると、評価されるべきである。典型的な手順７０で、この周波数スケーリングは、ＳＭＰＳの動作中に生じる。そのために、情報は、ロードコンポーネント用の動作モード上で受け取られる（ブロック７２）。ブロック７４でモード変化として描かれた、電源要件ニーズが変化しないことの決定がなされる。その後、ＳＭＰＳは、選択されたクロックソースを使用し続ける（ブロック７６）。モードがブロック７４に変化する場合、ロードコンポーネント用の検知された動作モードのための電源要件に関して決定（例えば、ルックアップ、感知、学習など）がなされる（ブロック７８）。いくつかのインスタンスでは、所定値をルックアップすることは、実施での処理速度および単純性に有利かもしれない。この決定は、モード用のピークまたは定常状態の電源要件（例えば、電流、電圧）を決定すること（ブロック８０）、および／または、モード用の周波数スペクトラム感度を決定すること（ブロック８２）を具備することができる。その後、スイッチング周波数ソースは、決定された要件に従ってロードコンポーネントに電力を供給するのに適したＳＭＰＳを選択する（ブロック８４）。この選択は、満足なパフォーマンスに適切な線質係数（Ｑ）を備えたクロックソースを選ぶように描かれた１つ以上の要因に基づくことができる（ブロック８６）。中心周波数は、必要電力消費に十分であると考えることができる（ブロック８８）。クロックソース周波数スペクトラムは、選択用の感知可能な周波数で十分に減じられて認めることができる（ブロック９０）。その後、新しく選択されたスイッチング周波数は、ブロック７６でＳＭＰＳによって使用される。
【００２８】
要因選択の優先順位は、予め定められたまたは適切な重みづけで使用される。例えば、高いまたは低い消費電力は、ロードコンポーネントによってデータ率エラーをより少なくすることをトレードオフにできる。例えば、選択は、ロードコンポーネントが動作するために、適切なピーク電流に帰着することができるクロックソースのサブセットの選択により始めることができる。次に、クロックソースは、最適電力消費効率（例えば、ピーク電力にとって十分な）を有するために命じられたランクである。次に、ランクは、望ましくないハーモニックスの量のためのしきい値に基づいて、命じられるまたは除外される。
【００２９】
図３は、無線通信用の４つの異種のモード１２０１、１２０２、１２０３および１２０４の中で動作することができる例えば無線ターミナル１１０を例証するダイヤグラム１００である。各モード１２０Ｊ（Ｊ＝１、２、３、４）は、異種の部分、または帯域、電磁（ＥＭ）スペクトル（例えば、無線周波数（ＲＦ）およびマイクロ波周波数）のσＪを開発する。帯域σＪは、（例えば、産業帯域、医療帯域および科学的帯域、またはＰＣＳ  Ａ−Ｆ帯域のような）許可またはＲＦ帯域を無許可することができる。各σＪは、例えば、第３世代（３Ｇ）ＵＭＴＳ、またはＷｉＭＡＸ無線技術の中で使用される直交周波数分割多重の、通信インプリメンテーションの特定モードをインプリメントするために、サブバンドまたはチャネルにさらに分割できることは、評価される。モード内で動作する帯域のセット（例えば、σ４、σ'４、σ"４）およびチャネルを有することができるモードが認識されるべきである。例として、地球上の無線通信については、動作モードは、様々な極超短波（ＵＨＦ）帯域を利用することができる。サテライトベースのナビゲーションについて、モードは、深宇宙リンクを確立するために極超短波（ＳＨＦ）帯域を使用することができる。別の例として、アドホックネットワーク中の無線デバイスは、データ転送および他の無線通信用のＥＭスペクトルの赤外線（ＩＲ）部分中の１以上の帯域を利用することができる。異種のモード（例えば、モード１  １２０１およびモード４  １２０４）は、少なくとも部分的に重複しているそれぞれの帯域で動作することができることがさらに評価される。例として、ＥＶＤＯおよびＷＣＤＭＡデータコールの両方は、ＰＣＳ  Ｆブロック帯域またはＧＳＭ（登録商標）帯域によって維持することができる。
【００３０】
上に示されるように、例証されるように、無線ターミナル１１０は、一般にマルチモードのモバイルデバイスである。それは、インスタントτＡでモード１  １２０１、インスタントτＢでモード１２０２、インスタントτＣでモード１２０３、インスタントτＤでモード４  １２０４で動作することができる。無線ターミナル１１０がアプリケーションの並列実行を促進するプロセッサ（例えば、マルチコア・プロセッサ）によって動作することができるように、そのようなインスタンスは異なる必要がないことが認識されることになっている。例えば、無線ターミナル１１０は、音声通信を導き、かつＧＰＳのアプリケーション（例えば、ナビゲーションルートを表示する）を同時に操作するために、ＧＳＭ（登録商標）の中で動作することができる。４つの帯域中のターミナル１１０の動作の実例となる例として、Ｊ＝１−４が役立つことは、さらに認識されるべきである。無線環境では、より少数またはより多くの帯域および関連する通信方式は、利用することができる。アクセスターミナルが支援する通信用の動作モードの数は、設計によって一般的に決定される。各動作モード（例えば、ＧＳＭ（登録商標）、ＩＭＴ、ＣＤＭＡ、ＷＣＤＭＡ、ＨＳＰＡ、ＷｉＭＡＸ、ＧＰＳ、ＧＬＯＮＡＳＳ、Ｂｌｕｅｔｏｏｔｈ（登録商標）…）で、通信用の特定のプロトコルは、特定の多重化および変調のように、一般に利用される。同様に、特定の時間リソース（無線フレームタイムスパン、シンボルタイムスパンなど）は、利用される。したがって、様々なチップセットは、特定の動作モード内の通信用の必要な機能を提供する。さらに、異種のチップセットは、ディスプレイインターフェース、サウンド、サウンドおよびイメージ（例えば、音声からテキストへおよびテキストから音声への変換）、データ入力（例えば、キーパッド、タッチスクリーン、音声入力、デジタル／アナログおよびアナログ／デジタル変換の動作、メモリの動作…）などのような、アプリケーションをサポートするための機能を提供することができる。
【００３１】
チップセットに関連した回路は、動作モードによって、特定のロード要件（例えば、動作電圧、ピークロード電流）を有する。回路は、通信用に変調された特定の周波数で波形の生成を促進するＲＦエレクトロニクスを含んでいる。波形は、シングルキャリア（例えば、アップリンク通信用）またはマルチキャリア（例えば、ダウンリンク通信用）になりえる。無線ターミナル１１０のバッテリは、モバイルデバイスですべての機能をサポートするための電力を提供する。バッテリは、化学反応（例えば、Ｌｉベースのバッテリ）によってまたは太陽エネルギーコンバージョン（例えば、Ｓｉベース、ＣｕＧａＳｅベース、ＣｕＩｎＳｅベースの太陽電池パネル）を通じて、エネルギーを提供できる。代わりに、またはさらに、エネルギーの他の無線ソースは、熱電変換器を加熱する放射（例えば、マイクロ波）のように、使用されてもよい。スイッチドモード電源のセットは、ロードのセット用のバッテリ入力電圧（ＶＩＮ）から出力動作電圧ＶＯＵＴまでレギュレーションまたは変換を促進する。一態様では、ターミナル１１０のスイッチドモード電源は、特定の動作モード（例えば、ＧＰＳおよび関連する表示アプリケーション、またはＷＣＤＭＡによるビデオ電話）によってスイッチング周波数を調整し、計測可能なスイッチング周波数である。
【００３２】
時分割多重アクセス（ＴＤＭＡ）、周波数分割多元接続（ＦＤＭＡ）、直交周波数分割多元接続（ＯＦＤＭＡ）、シングルキャリアのＦＤＭＡ（ＳＣ−ＦＤＭＡ）または他の適切な多元接続方式のような、次の多元接続方式でターミナル１１０が動作することができることを言及する。ＴＤＭＡは、時分割多重化（ＴＤＭ）を利用する。ここで、異なるターミナルのための送信は、異なる時間間隔で送信することにより直交する。ＦＤＭＡは、周波数分割多重（ＦＤＭ）を利用する。ここで、異なるターミナルのための送信は、異なる周波数サブキャリア中で送信することにより直交する。一例において、ＴＤＭＡとＦＤＭＡのシステムは、符号分割多重（ＣＤＭ）を開発することができる。ここで、たとえコードが同じ時間間隔または周波数サブキャリアで送られても、多重ターミナルのための送信は、異なる直交コード（例えば、ウォルシュコード、多相コード…）を使用して直交することができる。一態様では、直交化は、基準信号中の干渉の緩和を示すことが言及される。ＯＦＤＭＡは直交周波数分割多重（ＯＦＤＭ）を利用し、ＳＣ−ＦＤＭＡはシングルキャリア周波数分割多重（ＳＣ−ＦＤＭ）を利用することが言及される。ここで、ＯＦＤＭおよびＳＣ−ＦＤＭは、多重直交サブキャリア（例えば、トーン、ビン、…）に利用可能なシステム帯域幅を分割することができる。それらの個々は、データで変調することができる。一般的には、変調シンボルは、ＯＦＤＭを備えた周波数領域およびＳＣ−ＦＤＭを備えた時間領域で送られる。さらにまたは代わりに、利用可能なシステム帯域幅は、１以上の周波数キャリアに分割することができる。それらの各々は、１以上のサブキャリアを含むことができる。無線通信の実行は、ＯＦＤＭＡおよび符号分割多重接合（ＣＤＭＡ）のような、多重接続方式の組合せを開発することができる。ここに提供されるＳＭＰＳ周波数マネジメント技術を実質的にどんな無線通信接続方式内でも利用することができることは認識されるべきである。さらに、明細書の主題に記述されたイノベーションは、少なくともすべての先の動作モード中で有利に開発することができる。
【００３３】
図４は、明細書の主題中で述べられた態様によって周波数計測可能なスイッチドモード電源（ＳＭＰＳ）ソースを開発する例のユーザ機器（ＵＥ）２１０のブロックダイヤグラム２００である。無線ターミナル１１０の具現化可能であるユーザ機器２１０は、入力電圧ＶＩＮを提供する直流（ＤＣ）バッテリ２２５によってバイアスがかけられる周波数計測可能なＳＭＰＳプラットフォーム２１５を含んでいる。計測可能な周波数のＳＭＰＳプラットフォーム２１５は、送電網のセット２３５１−２３５ＮをパワーアップするＮ  ＳＭＰＳのセット２１８１―２１８Ｎ（正の整数Ｎ；一般に、２≦Ｎ≦４）を具備する。ここで、各送電網は、特定のロードのセット（例えば、特定の電気通信機能用のチップセット）を含んでいる。ロードのセット内のロードが送電網になりえることが言及される。例えば、ロードは、電圧レギュレータ（例えば、ロウドロップアウトライナー（ＬＤＬ）レギュレータ）になりえる。機能ロードのセットは、電圧レギュレータの出力に動作上接続することができる。それがＳＭＰＳに接続されているので、それはサブレギュレータとして働く。各ＳＭＰＳ  ２１８λ（λ＝１、２、…、Ｎ）は、スイッチング周波数ｆλおよび出力電圧Ｖ（λ）ｏｕｔで動作する。例のＵＥ２１０では、ＳＭＰＳ（またはレギュレータ）２１８１−２１８Ｎと送電網２３５１−２３５Ｎとの間に１対１の関係があることを認識されるべきである。さらに、１以上のＳＭＰＳ  ２１８λは、送電網２３５１−２３５Ｎの電力需要に依存するシングルインスタンストでターンオンまたはオフされることができる。そのような電力需要は、供給（例えば、パワーアップ）されたロードによって実質的に指示される。電力の提供、供給、送電網、ｆλの場合、ユーザ機器２１０の動作モード（例えば、モード２  １２０２）に従ってダイナミックに調整されることができる。そのような動作モードは、例えば、ＧＳＭ（登録商標）、ＩＭＴ、ＣＤＭＡ、ＷＣＤＭＡ、ＨＳＰＡ、ＷｉＭＡＸ、ＧＰＳ、ＧＬＯＮＡＳＳ、Ｂｌｕｅｔｏｏｔｈ（登録商標）などがなりえる。さらに、ｆλは、操作上のピークロード電流または追加モードの同時並行処理の開始のような、ロード要件の変化の少なくとも一部分に基づいてダイナミックに調整することができる（例えば、ＧＰＳ動作は、ＣＤＭＡ  １Ｘコール中に始められる。それは、音声セッション、データセッションまたはそれらの組合せになりえる。）。そのような新規な特徴は、次に議論される。
【００３４】
ユーザ機器２１０は、通信（例えば、音声セッション、データ転送、オンラインゲーム、ウェブブラウジングなど）を達成するために、異種のモードで動作することができる。ここで、異種のモードは、同時に動作することがありえる。マルチモード駆動の少なくとも１つの利点は、ＵＥ２１０が最適化、または改善、実行するモード（例えば、高データレート、低い待ち時間、低いビット誤り率およびパケット誤り率など）を利用することができるということである。上に記述されるように、特定モード中の動作は、ユーザ機器２１０の通信または特定の動作を遂行するのに必要な機能の少なくとも１部分を提供する特定のロード（例えば、２４１１−２４１Ｑ）に依存する。例えば、ロードは、ＲＦ回路およびＭＳＭ（移動局モデム）コア機能、周辺（例えば、メモリ、ディスプレイ、キーパッド…）回路などを含むことができる。ロード（例えば、２３８１−２３８Ｓ、２４１１−２４１Ｑおよび２４４１−２４４Ｐ）は、異種の感度または周波数に対する反応（例えば、局所発振器を備えた干渉またはカップリング）、電流および電圧要件がありえる。慣例通りに、ロードは、周波数感度と動作要件のそのような相違によってグループ化（クラスタ化）することができる。 
ユーザ機器２１０に機能を提供するロード（例えば、２３８１−２３８Ｓ）間では、ＳＭＰＳ  ２１８Ｊのスイッチング周波数ｆＪは、ロードの電子回路の性能を妨げることができ、したがって、ＳＭＰＳ  ２１８Ｊの動作は、ＵＥ２１０の動作を低下することができることが、評価されることになっている。Ｋ１  ＳＭＰＳのクラスタ（例えば、ＳＭＰＳ  ２１８１およびＳＭＰＳ  ２１８２）は、１つのスイッチング周波数を共有することができ、一方、Ｋ２  ＳＭＰＳのクラスタ（例えば、ＳＭＰＳ  ２１８Ｊ、ＳＭＰＳ  ２１８Ｎ−１およびＳＭＰＳ  ２１８Ｎ）は、異種のスイッチング周波数を共有することができることが、評価されることになっている。一般に、ロードの回路がＲＦ回路を含む場合、そのようなデグラデーションが生じる。また、ｆＪまたは関連するハーモニックスｎｆＪ（正の整数ｎを備える）は、ロードによってサポートされた周波数（例えば、σＪ）の帯域内に位置する。さらに、クロス・デグラデーションも生じる場合があることを言及されるべきである。ここで、ＳＭＰＳ  ２１８Ｊスイッチングは、異種のＳＭＰＳ  ２１８Ｋに付けられたロードの動作を妨げる。各ＳＭＰＳは、様々な伝導および放射手段によってシステムでのすべてのロードに本質的に影響する場合がある。従って、主題のイノベンションでは、動作モード（例えば、ＧＳＭ（登録商標）音声通信）は、モードマネジメントコンポーネント２５５によって決定または確立される。モードが動作されるＥＭ放射周波数帯域、動作のために予定される周波数チャネルなどのような、特定のモード情報で、プロセッサ２７５は、データベース、またはルックアップテーブル２６８を保存し、ＳＭＰＳ  ２１８Ｊの動作用の適切なスイッチング周波数ｆＪ（ｏｐｔ）を選択する、メモリ２６５へのアクセスを提供する。それは、受信可能か満足な結果を要することができる適切な現開示の利益で評価されるべきである。代わりにまたはさらに、適正は、他の使用可能オプションよりよいことを要することができる。代わりにまたはさらに、適正は、特に、基準または基準のセットと緊密に一致することを提供するために十分なオプションが存在するアプリケーション用の、最適な解決手段を要することができる。代わりにまたはさらに、適正は、加重基準に対する最も高い集成値を有するような、ベストオプションを要することができる。明確にするために、下記に述べられた実例となる態様では、実現が忠実の程度の変化を備えた最適に接近することができることは認識されるべきであるが、最適なスイッチング周波数のための理想的な目標は議論することができる。
【００３５】
さらに、プロセッサ２７５は、利用可能な周波数のセットを選別することができる。例えば、メモリ２６５に格納された操作上の基準２７１に対して、ルックアップテーブル２６８内に保存し、したがって特定の基準を満たす最適な周波数を選択する。操作上の基準は、高品質のユーザ感知サービスを保証するために、サービス品質メトリクスを含むことができる。ルックアップテーブル２６８または操作上の基準２７１内に格納された情報が、その上に関連する所望または必要な設備レスポンスまたは性能およびサービス品質を確立することをできることが認識されるべきである。最適な周波数が、満足または有効な性能および関連するサービスを提供する、利用可能な周波数のセット内のスイッチング周波数であることは、さらに認識されるべきである。１以上のスイッチング周波数が、満足または最適な動作を提供することはさらに言及されるべきである。スイッチング周波数のダイナミックな調整および最適な周波数の利用の少なくとも１つの利点は、動作の移動局が動作モードでスイッチするときでさえ、感知されたサービス品質を保存することができるということである。
【００３６】
通信帯域（例えば、σ３）内の異なる動作チャネルへのハンドオフは、サービングＳＭＰＳのスイッチング周波数の変更を要求することができる。Ｎスイッチング周波数のグループでは、Ｎ−Ｇスイッチング周波数のセットが固定されたままであり、一方、Ｇ（例えば、Ｇ＝１）スイッチング周波数はダイナミックに計測されることが言及されることになっている。ルックアップテーブル２６８は、特定の動作モード用のｆＪ（ｏｐｔ）を提供する。主題のイノベンションの態様では、動作モードが第１のモードから第２のモードに変わる（例えば、ＵＥ２１０は、ＣＤＭＡ  １Ｘによる音声通話の後、ＨＳＰＡモード内のデータダウンロードを始める）場合、第２の動作モードが、実例となるＳＭＰＳ  ２１８Ｊによって電力が供給された送電網中でロードすることでサポートされ、異種の最適な周波数ｆＪ（ｏｐｔ’）は、ＵＥダウンタイムまたはさらにテストすることなく、ルックアップテーブル２６８またはユーザ機器２１０を通るアクセス可能なデータベースからダイナミックに選ぶことができることが、言及される。さらに、モードマネジメントコンポーネント２５５が別の動作モード（例えば、ＧＰＳ）を活性化する場合、そのようなモードは、異種の送電網（例えば、送電網Ｎ  ２３５Ｎ）でグループ化されたロード２４４１―２４４Ｐのようなロードに依存する。送電網に役立つＳＭＰＳ（例えば、ＳＭＰＳ  ２１８Ｎ）のスイッチング周波数は、さらにルックアップテーブル２６８内に格納された情報または本質的にユーザ機器２１０にアクセス可能な任意のデータベースによって発見的に最適化することができる。
【００３７】
主題のイノベンションでは、メモリ２６８に格納されたルックアップテーブル２６８は、移動局に典型的にサポートされた多数のモードが少数のモードを含んでいるので、最適なスイッチング周波数を選択するための有効で、低オーバヘッド、低複雑な機器であることが言及される。また、最適な周波数は、実験室か現場で、実験によって予め定められることができる（例えば、ロード、ロード電流と電圧要件などに関して、活性／非活性状態でロード用のＳＭＰＳの性能の周波数レスポンス、またはそのアブセンス）。
【００３８】
無線通信用の動作モードに従って最適な周波数を選択することに加えて、プロセッサ２７５によって支援されたモードマネジメントコンポーネント２５５は、計測されているＳＭＰＳのスイッチングを駆動するスイッチを計測するためのＫクロックソースのセット２４８１−２４８Ｋからクロックソースを選ぶことができる。クロックソース２４８１−２４８Ｋは、例えば、システムでの異なる水晶発振器、リラクセーション発振器などがありえる。クロックソースの選択は、最適な周波数Ｊ（ｏｐｔ）を提供するために、ハイＱまたはロウＱクロックを選択する柔軟性を提供する。クロックソースの選択は、一般的には設計とコストに影響する。代わりに、またはさらに、クロックソースの選択が、ＳＭＰＳのスイッチング周波数を決定することができることを言及し、それによって、クロックソース（例えば、２４８Ｋ）の選択をスイッチング周波数の選択に、相互に関連させる。ＳＭＰＳの中のスイッチのスペクトル反応が、ＵＥ２１０用のサービス品質（例えば、ビット誤り率、ブロック誤り率）に影響する場合、および、鋭いスペクトル反応が、ロウＱクロックソースに関連した周波数テールに対する干渉を回避すると望まれる場合、ハイＱクロックは、利用することができる。大きなＳＭＰＳスイッチング周波数ｆが利用可能でない場合、帯域内（例えば、σＪ内）で降下するＳＭＰＳクロックハーモニックｆｎ＝ｎ・ｆ（ｎは正の整数である）を回避しそうにないかもしれない。そのようなシナリオでは、いくつかのロードが狭帯域の干渉により敏感になりうるように、ロウＱソースクロックは、有利な選択肢になりえる。従って、ロウＱソースの広いスペクトル線は、ＵＥ２１０の動作に有益である。一態様では、モードマネジメントコンポーネント２５５は、ＳＭＰＳのスイッチを駆動するために利用されたクロックソース（例えば、クロックソース２４８１−２４８Ｋのうちの１つ）のＱ係数に関してトレードオフを達成することができる。その目的のために、モードマネジメントコンポーネントは、ハイＱまたはロウＱクロックソースが移動局（例えば、ＵＥ２１０）の動作のために有利かどうか判断するために、有用分析（例えば、費用便益分析）を行なうことができる知的コンポーネント（示されない）を使用することができる。有用分析は、自動化されてもよく、特定の動作モードの利点およびコスト、ロード要件および条件などを推論するヒストリックデータを操作するために、人工知能または機械学習技術（例えば、デシジョンツリー、ニューラル・ネット、回帰分析、特徴およびパターン採収のための主成分分析（ＰＣＡ）、クラスタ分析、遺伝的アルゴリズム、または学習強化）に依存してもよい。
【００３９】
主題のイノベンションは、さらに、ロード動作要件（例えば、電圧、ピークロード電流、感知可能な周波数）およびそれの変化の少なくとも一部に基づいたＳＭＰＳのスイッチング周波数ｆをダイナミックに計測するために熟考する。したがって、シングルＳＭＰＳ（例えば、ＳＭＰＳ  ２１８２）は、異種のロード構成を要求するマルチプル動作モードに電力を供給することができる。例えば、ＧＰＳ（例えば、送電網２３５１に役立つＳＭＰＳ  ２１８１）用の１つのＳＭＰＳおよびＣＤＭＡ  １Ｘ（例えば、送電網２３５Ｎに役立つＳＭＰＳ  ２１８Ｎ）用の１つのＳＭＰＳを有する代わりに、シングルＳＭＰＳは、スイッチング周波数調整による両方のモード（例えば、ＧＰＳおよびＣＤＭＡ  １Ｘ）に電力を供給することができる。従って、主題のイノベンションの少なくとも１つの利点は、ユーザ機器の複雑さおよび部品表；製造原価の両方の要因を減少することである。
【００４０】
しかし、ＳＭＰＳの数を減らすこととＳＭＰＳの多様性を獲得することの間のトレードオフが、主題のイノベンション中で達成できることが、言及される。マルチプルＳＭＰＳ（例えば、２１８１−２１８Ｎ）の提供により、ＳＭＰＳのスイッチング周波数が、ロード条件に従ってダイナミックに調整することができることを考慮して、特定のロードのグループ（例えば、２４４１−２４４Ｐ）または特定の送電網は、特定の時間（例えば、セル同期化および再同期化の間。ここで、特定の相関器は、タイミングと周波数情報を抽出するのに必要である。）で最適に動作することができる。したがって、そのような特定のグループに関連したＳＭＰＳは、要求およびターミナル（例えば、ＵＥ２１０）でスイッチオンおよびオフすることができ、バッテリをより効率的に消費することができる。
【００４１】
さらに、モードマネジメントコンポーネント２５５は、ロード条件の変化に応じてＳＭＰＳ  ２１８Ｊの周波数ｆＪをダイナミックに切り替えることができる。例えば、ロードのセットまたは全体の送電網（例えば、グリッド２３５Ｎ）が、ハイピークロード電流の要求を備えた一時的な状態で動作する場合、特定の動作モードに関連したＲＦ回路に対する干渉を回避する間、周波数は、ロードのセットまたはグリッドのために、より高い電流を提供するためにダイナミックに切り替えることができる（例えば、ｆＪ（Ｈｉｇｈ）＝ｆＪ（ｏｐｔ）−Δｆ（Δｆ＞０で））。一般に、ハイロード電流を扱うＳＭＰＳスイッチング周波数の低下は、一般的に性能劣化と関連する。したがって、スイッチング周波数のダイナミックな調整は、電源の不安定性のように、破壊的な機能不良を回避する間に劣化を許容することを助ける。
【００４２】
図５は、クロック発振器２８５１−２８５Ｍの実例となる構成２８０を例証する。それは、ＳＭＰＳに１つ以上のクロックソースを一致させるモードマネジメントコンポーネント２５５に存在し、クロックソース選択を促進することができる。例の構成２８０は、クロック発振器１  ２４８１に付けられたクロックソース２４８１−２４８Ｋを例証する。それは、ＳＭＰＳ  １  ２１８１を駆動するスイッチングクロックを出力する。ＳＭＰＳ  ２  ２１８２およびＳＭＰＳ  ３  ２１８３に関して、それらは、スイッチングドライバとして、クロック発振器２  ２４８２を共有する。それは、クロックソース１  ２４８１またはクロックソース２  ４８２２から選択することができる。ＳＭＰＳ  Ｎ−１  ２８１Ｎ−１に関して、それは、クロックソース１  ２４８１を使用する。構成２８０の例では、ＳＭＰＳ  Ｎ  ２１８Ｎは、クロック発振器が介在することなく、クロックソースＫを使用するに違いない。クロックソースを選択することに加えて、クロック発振器２８５１―２８５Ｍが、例えば、整数分周器または分数分周器の少なくとも１つによって、クロックソース周波数を修正することができることが評価される。例えば、クロック発振器Ｍ  ２８５Ｍは、クロックソースの周波数を修正することができる。クロックソース周波数の変更の少なくとも２つの利点は、（ｉ）周波数計測可能なＳＭＰＳプラットフォーム２１５によって与えられた周波数スケーラビリティの範囲（例えば、インターバルの上限または下限）でダイナミックに増加させること、（ｉｉ）周波数計測可能なＳＭＰＳプラットフォーム２１５による役立ったロードのセットによって調整されたチャネルで、ハーモニックなく、スイッチング周波数のセットを生成すること、である。生成されたスイッチング周波数は、ロードのセットに最適な電力効率を供給することができ、ルックアップテーブル２６８に保持することができ、周波数計測可能なＳＭＰＳプラットフォーム２１５にＳＭＰＳのセットを駆動するために最適なスイッチング周波数の選択を促進することができる。
【００４３】
図６−８は、３つの異種のスイッチング周波数および異種のＤＣ入力電圧ＶＩＮでロード電流に対する電力効率が述べられたＳＭＰＳのそれぞれの３つの概要のチャートのセットを例証する。ひし形シンボルは、第１のスイッチング周波数ｆ１に相当し、正方形シンボルは、第１より低い第２の周波数ｆ２に相当し、三角形は、第１および第２のものより低い第３のスイッチング周波数になる。チャート２９０（図６）、２９４（図７）および２９８（図８）は、異なる周波数でロード電流に対する電力効率の質的に同様の特性を表示する。特に、（ｉ）ＳＭＰＳ効率は、そのスイッチング周波数にほとんど反比例する。そのような振る舞いは、一般にＳＭＰＳのスイッチング周波数の変換損失に依存する線形性から発生する。それは、効率または性能に影響する他の量が実質的に同じである場合、簡略化されたシナリオである。（ｉｉ）特定のスイッチング周波数（例えば、ｆλ（λ＝１、２、３）、ＶＩＮ＝ＶＭＩＮで２９２λ）の最大ロード電流は、スイッチング周波数の減少とともに増加する。さらに、より高い入力電圧は、ＶＩＮ＝ＶＴＹＰ（一般的な動作電圧値ＶＴＹＰ）で２９６λ、ＶＩＮ＝ＶＭＡＸで２９６λのような、よい大きな最大ロード電流に帰着する。与えられたスイッチング周波数用の最大ロード電流は、非理想的な回路の明示である一般的に低いスイッチング周波数は、さらに調整を維持する間に、より高い出力ロード電流を提供する。しかし、そのようなレスポンスは、適切な設計の下、およびコストまたは技術がそれを許可する場合、より高いスイッチング周波数でＳＭＰＳがより高いロード電流を伝えるのを防げない。重要でない動作で低周波数にスイッチング周波数を変更することは、一般に全体的な効率を改善する。
【００４４】
図９は、ＳＭＰＳのセットによって電力マネジメント用の１以上のスイッチング周波数をダイナミックに選びセットすることができるユーザ機器の例の実施形態３１０のブロックダイヤグラム３００である。送電網３１５は、少なくとも一部分に、ユーザ機器３１０の機能を提供するロード３１８を含んでいる。周波数計測可能なＳＭＰＳプラットフォーム２１５は、ＳＭＰＳのセット２１８１−２１８Ｎを具備する。上に議論されるように、各ＳＭＰＳ  ２１８λ（λ＝１、２、…、Ｎ）は、スイッチング周波数ｆλで動作し、送電網３１５中のロード３１８へ電力を供給する電圧Ｖｏｕｔ（λ）を出力する。クロックソース２４５のセットは、ユーザ機器２１０に関して上に議論されるのと実質的に同じ方法で、周波数計測可能なプラットフォーム２１５に１以上のＳＭＰＳの内のスイッチを駆動するために使用することができる。同様に、モードマネジメントコンポーネント２５５は、上に記述されるのと実質的に同じ方法で動作することができる。さらに、ＵＥ３１０の態様では、モードマネジメントコンポーネント２５５は、無線通信路条件を確立することができるチャネル品質インジケータ（ＣＱＩ）コンポーネント３２５を含むことができる。特に、ＣＱＩコンポーネント３２５は、モバイルの３１０の通信および動作に影響する障害（例えば、妨害信号）のソースの周波数のようなスペクトル特性を決定することができる。周波数分割双方向通信システムでは、送信機出力が妨害信号として働くことができることが認識されるべきである。
【００４５】
チャネル品質インジケータコンポーネント２５５は、さらにＳＭＰＳ（例えば、ＳＭＰＳ  ２  ２１８２）およびクロックソース２４５、またはクロックソース回路の連結から生じる局部発振器（ＬＯ）スパーをモニタすることができる。特に、ＣＱＩコンポーネント２５５は、ＳＭＰＳスイッチング周波数（例えば、ｆ２）のＭ倍と等しい大きさを備えた周波数オフセットでＬＯスパーが生じるかどうか判断することができる。そのような周波数オフセットは、ここにＭ−オーダーレゾナンスと名付けられる。Ｍ−レゾナンスＬＯスパーが、受信入力を連結した帯域外妨害信号がある状態で、モバイル動作（例えば、ＵＥ３１０）を非常に非センスすることができることに言及する。ＬＯスパーと関連するＬＯ中心周波数（例えば、ＳＭＰＳスイッチング周波数を決定するクロックソース周波数）との間の周波数スプリッティングが等しい、または受信信号と帯域外妨害信号との間の周波数スプリッティングが整数の倍数である場合、レシーバ（例えば、ＵＥ３１０）のＬＯスパーのダウンコンバーションは、周波数スペクトル範囲へ妨害信号をスペクトル的に変えることができる。ここで、信号（例えば、トラフィックまたは制御情報）は、受信される。（前述のダウンコンバーションは、ＵＥ３１０にトランシーバによって実行することができる。ロード３１８のサブセットは、前述のトランシーバの動作を促進することができる。）したがって、ＣＱＩコンポーネント２５５は、妨害信号およびトラフィックまたは制御信号の間の周波数スプリッティングがＳＭＰＳスイッチング周波数の整数倍かどうかを判断し、そのような条件と一致する１以上のスイッチングＳＭＰＳ周波数を調整することができる。モードマネジメントコンポーネント２５５は、プロセッサ２７５を通って、１以上のスイッチング周波数を調整することができる。その調整は、１以上のＳＭＰＳオフレゾナンスを駆動し、ＳＭＰＳで駆動されるＬＯスパーの有害な影響を緩和する。モバイル動作が新しいＲＦチャンネル動作にハンドオフされる場合、またはレシーバが多重レシーバＵＥでトリガとされる場合、ＣＱＩコンポーネント３２５がＭ−レゾナンスＬＯスパーが生じるかどうかを判断することができることを言及する。
【００４６】
モードマネジメントコンポーネント３３５は、さらにサービス障害（例えば、無線銀行取引のような、中断された音声通話またはデータ交換セッション）を防ぐ、またはモバイルの３１０の操作条件の変化に応じたスイッチング周波数の変更の結果として、サービスを保持する、ことができるサービス保証コンポーネント３３５を含むことができる。特に、通信チャネル中の妨害信号と信号との間のＭ−オーダー共振が、スイッチング周波数調整に帰着する場合、サービス保証コンポーネント３３５は、サービスまたは動作を保持することができる。
【００４７】
例のＵＥ実施形態２１０および３１０では、プロセッサ２７５が、機能的なアクションの少なくとも一部（例えば、計算、宣言、割り当て、決定、およびユーザ機器中の実質的にどんなコンポーネントの機能も実行するために必要な実質的にどんな他の機能動作も）を行なうように構成されることを言及する。メモリ２６５は、それぞれのデータ構造（例えば、ルックアップテーブル）、コード命令、アルゴリズムなどを保持することができる。その機能のユーザ機器２１０を与える場合それは、プロセッサ２４５によって使用することができる。
【００４８】
上に示され記述された例のシステムおよび関連する態様を考慮して、開示された主題に従って実行されてもよいと報告する柔軟なチャネル品質インジケータ用の手順は、図２、１０、１１−１３および１５のフローダイヤグラムに関してよく評価することができる。説明の簡略化の目的のために、手順は、一連のブロックとして示され記載される。しかし、いくつかのブロックが、異なるオーダーおよび／またはここに描かれ記述されたものからの他のブロックと同時に生じてもよいように、請求項の主題が多数またはオーダーされたブロックによって制限されないことは、理解され認識される。さらに、すべての図解付きのブロックは、以下に記述された手順を実行するために要求されるとは限らないかもしれない。ブロックに関連した機能が、ソフトウェア、ハードウェア、それらの組合せまたは他の適切な手段（例えば、デバイス、システム、プロセス、コンポーネント…）によって実行されてもよいことが認識されることになっている。以下に開示された手順および全体にわたる主題の明細書が、様々なデバイスにそのような手順を運び転送することを助けるために、製造の製品（例えば、コンピュータ可読媒体）上に格納されることができることはさらに認識されるべきである。さらに、手順が、状態図のような、一連の相互関係がある状態または事象として、二者択一で表わすことができるかもしれないことは理解されるに違いない。
【００４９】
図１０は、ここで記述された態様による無線モバイルデバイス中の電力マネジメントを提供するＳＭＰＳのスイッチング周波数をダイナミックに計測するための例の方法のフローチャート４００を提示する。動作４１０では、無線通信用の動作モードについての情報が受け取られる。情報は、モード、それらのモードおよび動作に関連した帯域のセットまたは帯域のセット中の動作用の予定されたチャネル（例えば、ボイスまたはデータコールを維持したい通信を有効にするために使用された１つ以上のチャネル）を確認する少なくとも１つの指示を含むことができる。一態様では、情報は、コンポーネント２５５のようなモードマネジメントコンポーネントによって伝えることができる。それは、動作モード（例えば、ＣＤＭＡ  １Ｘコール、ＨＳＰＡデータ交換、ＧＰＳナビゲーションアプリケーション…）を確立することができる。一般的に、情報は、情報を処理し、かつＳＭＰＳのセット（例えば、周波数計測可能なスイッチドモード電源プラットフォーム２１５）の動作を構成するように構成されたプロセッサ（例えば、プロセッサ２７５）によって受け取られる。動作４２０では、動作モードと互換性をもつ最適な周波数は、選択されている。動作モードがその上に関連する１組の帯域およびチャネルを含むことが認識されるべきである。選択は、ＲＦ回路または実質的に他の回路に対する障害を回避する必要によって指示されることができる。それは、特定の動作モード（例えば、ＧＰＳ、ＣＤＭＡ、ＷｉＭＡＸ、ＩＲ無線…）中のモバイルデバイスの動作を助ける。一態様では、スイッチング周波数および生成されたハーモニックスは、モード動作のために利用されて、ＥＭ放射周波数帯域、または特定チャネルからスペクトル的に分断されるように選択される。動作４３０では、最適な周波数のためのソースクロックが、選択されている。動作条件によって、ソースクロックは、特に低いチャネル品質の条件で、ローミング（それは、一般的にはハンドオフへの適切な基地局を確認するために走査する帯域幅を含んでいる）中に、またはトランシーバの広範囲な動作（例えば、データストリームのデコード）を考慮してバッテリに一般に負担をかけるマルチメディアストリーミングデータを消費する間、ディスプレイとサウンドリソースの利用も同様に、バッテリの放電を緩和するために選択することができる。さらに、図４に関して上に議論されるように、クロックソース選択は、ＳＭＰＳの中でスイッチを駆動するクロックのＱファクタに少なくとも一部分基づくことができる。動作４４０では、ＳＭＰＳの中のスイッチング周波数は、選択された最適値にセットされる。一態様では、最適値は、モバイル動作用に利用されたＥＭ放射周波数チャネルでスペクトル的にオーバーラップしないＳＭＰＳスイッチング周波数を保証するために、選択されたソースクロックと一致しているために部分的に調整することができる、または、それを、例えば周波数分割器によって、クロック発振器によって実質的に修正することができる。動作４５０では、動作モードの変更は調査される。一態様では、例のシステム４６０では、そのような検査は、モードマネジメントコンポーネント２５５によって導くことができる。���作モードの変更の検知は、動作４１０に流れるように指示する。
【００５０】
図１１は、ここで記述された態様によるＳＭＰＳに最適なスイッチング周波数を選ぶ例の方法４６０のフローチャートを示す。動作４７０では、ロードの操作上のセットによって調整されたチャネルのハーモニックのないスイッチング周波数のセットが、生成される。生成された周波数は、例えば、ルックアップテーブル２６８のような記憶素子の中で、保存することができる。ロードのセットは、動作モード（例えば、受信、およびＧＰＳの無線フレームのデコード、ＣＤＭＡ音声セッションのスピーチのアナログ・デジタル変換、制御動作用のパイロット信号の生成および変調）用の特定のレシーバの機能に関連した電子回路に関係可能である。動作４７５では、多数の周波数がスイッチング周波数の生成されたセットにおいて利用可能かどうかについて、チェックされる。否定の場合、動作４８０では、単集合の利用可能なスイッチング周波数は、ＳＭＰＳによって１組のロードに伝達された電力効率を最適化する最適な周波数として選択されている。肯定の場合、ＳＭＰＳによってロードの操作上のセットに伝達された電力効率を最適化するスイッチング周波数およびクロックソースは、動作４８５で選択されている。動作４９０では、動作モードに関連した動作チャネルの変更が、調査される。動作チャネルを変更するとき、フローは動作４７０に流れる。
【００５１】
図１２は、ここで記述された態様に従って無線モバイルデバイス中の電力マネジメントを提供するＳＭＰＳのスイッチング周波数をダイナミックに調整するための例の方法のフローチャート５００を提示する。一態様では、例の方法５００は、例の方法４００を補足することができる。動作５１０では、ロードのセット用の動作要求が受け取られる。ロードのセットは、共通の機能的な出力（例えば、フィルタリング、デジタル化、加算、乗算または割算、変調）または操作上の要件を備えたロードのクラスタを含むことができる。一態様では、受信された動作要件は、範囲内のピークロード電流、電圧範囲または電圧大きさの少なくとも１つ、またはスイッチング周波数範囲を含むことができる。モバイル内の多数のレシーバの動作がロード、またはロードとローカル発振器中の障害に帰着するので、周波数範囲はダイナミックによって可能であると認識されるべきである。ピークロード電流のような、動作要件の指示または動作要件上の情報は、モバイルデバイスの動作をサポートするロードのセットの動作状態（例えば、レシーバがモバイル内でシャットダウンされる場合のような不活性な動作、高電流要求を低電流要求へなど）の調整のために、ロードのセット（例えば、２４１１−２４１Ｑ）の動作状態の変更の結果であることがありえる。動作５２０では、受信動作要件と互換性をもつ最適なスイッチング周波数およびクロックソースが、選択される。動作５３０では、ロードのセットを含んでいる送電網に役立つＳＭＰＳの中のスイッチング周波数およびクロックソースは、選択された最適値にセットされる。動作５４０で、変化が検知される場合（一般的にセットまたはＳＭＰＳのコントロールを提供するプロセッサによって；例えば、プロセッサ２７５）、動作要件（例えば、ピークロード電流）の変更が検査される。フローは、動作５１０に導かれる。
【００５２】
図１３は、ここで記述された態様によるＳＭＰＳのスイッチング用の最適な周波数を決定するための例の方法のフローチャート６００である。動作６１０では、無線通信用の動作モードのセット用の最適なスイッチング周波数のセットを含んでいるデータベースが、アクセスされる。一態様では、データベースは、ルックアップテーブル（例えば、ルックアップテーブル２６８）を含んでいる。ここで、動作モードのセット用の最適なスイッチング周波数のセットは格納される。格納は、メモリ２６５に行うことができる。ルックアップテーブルは、多重モード動作（例えば、ＧＳＭ（登録商標）、ＣＤＭＡ、ＷＣＤＭＡ、ＧＰＳ、ＷｉＭＡＸ…）ができる無線デバイス（例えば、ＵＥ２１０）の製造業者によって、提供することができる。ルックアップテーブルの生成は、一般に実験室条件で広範囲な実験の、または現場作業の少なくとも一部に基づくことができる。最適なスイッチング周波数は、動作６２０で抽出される。
【００５３】
図１４は、ここで記述された態様によるＳＭＰＳのスイッチング用の最適な周波数を決定するための例の方法のフローチャート６５０である。例の方法６５０が例の方法６００に代替または付加できることは、認識されるべきである。動作６６０では、周波数のセットは、動作ランタイムで無線通信用の動作モードに関連した基準のセットから選別される。基準は、ピークロード電流のような、ロードの特定のセットの動作の技術的局面の少なくとも１つ、または、そのような動作に関連したサービス要件の品質（例えば、低バッテリ放電、スピーチコールの低ジッタ、固定されたブロック誤り率…）を含むことができる。例として、基準は、実質的に任意の操作上のＥＭ放射周波数チャネルまたは帯域でハーモニックを産出しない周波数であることがありえる。周波数のセットは、クロックソースのセット（例えば、クロックソース２４８１−２４８Ｋ）および関連するクロック発振器（例えば、クロック発振器２８５１−２８５Ｍ）によって決定されたような個々の利用可能なスイッチング周波数を含むことができる。一態様では、動作モードが始められる場合、ソフトウェアまたはファームウェアのアプリケーションは、ランタイムで検査を行なうために実行することができる。動作６７０では、基準のセットの中でほとんどの基準を満たす、選別された周波数は、利用可能な動作モード用の最適なスイッチング周波数として選ばれる。
【００５４】
図１５は、ここで記述された態様によるレシーバの局部発振器およびＳＭＰＳのカップリングにより干渉を緩和するための例の方法のフローチャート７００である。動作７１０で、干渉信号と制御信号またはトラフィックの少なくとも１つとの間の周波数スペクトルオフセットΔγＪ、Ｓが、決定される。一態様で、ΔγＪ、Ｓの決定は、レシーバが動作する無線環境中のノイズのスペクトル解析（例えば、フーリエ分解および電力スペクトル密度（ＰＳＤ）解析）を含むことができる。例として、妨害信号は、受信信号のサンプリングされた時間系列のＰＳＤ解析によって確認することができる妨害周波数（γＪ）で集中された狭い度数分布を有することができる。別の例として、周波数分割双方向（ＦＤＤ）通信システムでは、妨害信号は、レシーバ入力へ漏れる送信機出力になりえる。そのような場合、妨害信号および受信信号周波数は、ＳＭＰＳクロックをコントロールするコンポーネント（例えば、モードマネジメントコンポーネント２５５）のデザインを考慮して知ることができる。動作７２０で、ΔγＪ、Ｓが、レシーバ（例えば、ＵＥ３１０）の動作を助けるロードのセット（ロード２４４１−２４４Ｐ）を供給するＳＭＰＳ（例えば、ＳＭＰＳ  ２１８Ｎ）の多様なスイッチング周波数（例えば、ｆＮ）であるかどうかを調査することで、周波数スペクトルのオフセットの大きさは評価される。肯定の場合、ＳＭＰＳのスイッチング周波数（例えば、ｆＮ）は、動作７３０で調整される。反対に、フローは、動作７１０に導かれる。動作７４０では、サービスは、ＳＭＰＳのスイッチング周波数で安全になりまたは保持され、調整される。例えば、調整された周波数が、ピークロード電流を運ぶ、または、サービス（例えば、ボイスまたはデータコールを保持する）を提供する動作モードで使用されたロードのセットのどのような操作上の条件も実質的に満たす、のに不十分な場合、スイッチング周波数の変更が動作障害状態に至ることが認識されるべきである。一態様では、サービス保証コンポーネント３３５は、そのような動作障害を緩和することができる。動作７５０では、動作の新しいチャネルがアクセスされるかどうかを調査する。新しいＲＦチャンネルへのアクセスは、ハンドオーバから新しいＲＦ帯域またはまで発生する、または、既存の動作モードに加えて新しいレシーバモードを引き起こすことができる。例えば、ＧＰＳのレシーバは、動作モードの３Ｇ  ＵＭＴＳ内のコールでスイッチされる。
【００５５】
図１６は、ここに記述した１以上の態様に従って無線通信環境のＳＭＰＳのスイッチング周波数のダイナミックなスケーリングを開発することができるレシーバシステム８５０（例えば、ＵＥ３１０）の例の実施形態のブロックダイヤグラム８００である。レシーバシステム８５０では、送信されて変調された信号は、ＮＲアンテナ８５２１を通って８５２Ｒによって受け取ることができる。また、各アンテナからの受信信号は、８５４Ｒを通ってそれぞれのトランシーバ（ＲＣＶＲ／ＴＭＴＲ）８５４１に伝えることができる。アンテナ８５２１−８５２Ｒおよびトランシーバ８５４１−８５４Ｒは、多重入力多重出力（ＭＩＭＯ）通信モード内の通信で促進することができる。マルチユーザＭＩＭＯ、シングルユーザＭＩＭＯまたは分散されたＭＩＭＯのように、ＭＩＭＯ通信の様々なインプリメンテーションをレシーバ８５０に実行させることができることを認識されるべきである。各トランシーバ８５４１−８５４Ｒは、それぞれの受信信号を調整し（例えば、フィルタする、増幅する、およびダウンコンバートする）、特定のサンプリングレートでサンプルを提供するために調整された信号をデジタル化し、さらに、対応する「受信された」シンボルストリームを提供するサンプルを処理する。フィルタリング、増幅、ダウンコンバート、デジタイジングなどに関連した回路が、１組の送電網（例えば、送電網２３５１−２３５Ｎ）中で配列することができるロードの様々なセットを構成することに言及する。そのような送電網は、ＳＭＰＳのセットによって、電力が供給され、または、サーブされる。主題のイノベンションの態様に従って、ＳＭＰＳのセットは、周波数計測可能な、クロック選択可能なＳＭＰＳプラットフォーム８８５に存在することができ、例えば、８５４Ｒを通ってトランシーバ８５４１によって情報を得て伝えるモードである、レシーバの電流ロード要件および動作モードの少なくとも一部に基づいた最適な条件の下で動作することができる。バッテリ８７５は、周波数計測可能なＳＭＰＳプラットフォーム８８５に電力を供給する。
【００５６】
ＲＸデータプロセッサ８６０は、シンボルストリームを「検知した」ＮＴ（例えば、受信信号を生成する多くの送信トランシーバ）を提供するために、１以上のレシーバ処理技術に基づいて、ＮＲトランシーバ８５４１−８５４ＲからＮＲ受信シンボルストリームを集めて処理する。例えば、そのような処理技術は、最大尤度（ＭＬ）推定、最小平均二乗等化（ＭＭＳＥ）、ゼロフォーシング（ＺＦ）フィルタリング、最大比結合（ＭＲＣ）フィルタリングを含むことができる。そのような処理技術は、連続干渉除去（ＳＩＣ）コンポーネントを組込むことができ、直接の／逆の高速フーリエ変換または直接の／逆のアダマール変換の計算を含むことができる。そのような処理技術の実行に関連した回路が、周波数計測可能なＳＭＰＳプラットフォーム８８５を通って電力が供給されることができる１つ以上の送電網の一部になりえる様々なロードを構成することを言及する。その後、ＲＸデータプロセッサ８６０は、データストリーム用のトラフィックデータまたは制御情報を回復するために、各検知されたシンボルストリームを復調し、デインターリーブし、およびデコードする。ＭＯＤ／ＤＥＭＯＤコンポーネント８８０は、プロセッサ８７０によって、少なくとも部分的に、支援されたそのような動作を行なう。ロードが、デインターリーブし、およびデコードすることを促進する回路に関連してもよいことが認識される。そのようなロードは、プラットフォーム８８５のＳＭＰＳによって、電力を供給されることができる。
【００５７】
レシーバ８５０がさらにトラフィックまたはシグナリング（例えば、パイロット・サウンディング基準信号）を伝えることをできることを言及する。シグナリングまたは制御情報は、プロセッサ８７０によって一般的に生成されているが、トラフィックは、コール（例えば、音声セッション）を保持するまたはアプリケーション（例えば、電子メール、ウェブ・ブラウザ…）を利用するエンドユーザによって一般的に生成される。データソース８３６は、トラフィック生成を促進し、さらに情報とデータを捕らえるインターフェース（例えば、マイクロホン、カメラなど）を含むことができる。トラフィックは、アナログからデジタルコンテントへの変換のような様々な技術と一致するデータを操作するＴＸデータプロセッサに伝えられ、通信用レシーバ８５０によって利用された動作モード（例えば、ＣＤＭＡ  １Ｘ、ＧＰＳ、ＵＭＢ）と互換性をもつデータフローまたはストリームを生成するためにＭＯＤ／ＤＥＭＯＤコンポーネント８８０に処理データを伝える。
【００５８】
プロセッサ８７０は、どのプレコーディングマトリックスを利用するか周期的に決める。そのようなマトリックスは、メモリ８７２に格納することができる。プレコーディング動作は、さらに周波数計測可能なＳＭＰＳプラットフォーム８８５によって電力が供給された特定の回路および関連するロードを開発することができる。そのような動作を促進するコード命令を実行して、周波数計測可能なＳＭＰＳプラットフォーム８８５を操作するように、プロセッサ８７０が構成されることを、認識されるべきである。メモリ８７２は、アルゴリズムに加えて、コード命令を格納してもよい。それは、レシーバ８５０の１以上のコンポーネントへの特定の機能を与えるプロセッサ（例えば、プロセッサ８７０）によって、実行することができる。メモリ８７２は、さらに、データ構造およびレシーバ８５０の動作用の動作可能な情報を提供するデータベースを保存することができる。さらに、メモリ８７２は、１以上のＳＭＰＳ用の最適なスイッチング周波数を選ぶために利用することができる無線通信用の最適な動作モードに関連した１組の基準を含むことができる。メモリ８７２中のデータベースは、動作モードおよびロードに従って最適なスイッチング周波数を具備するルックアップテーブルを含んでいる。
【００５９】
次に、示された主題の態様を可能にすることができるシステムは、図１７に関して記述される。そのようなシステムは、機能ブロックを含むことができる。それは、プロセッサまたは電子機械、ソフトウェアまたはそれらの組合せ（例えば、ファームウェア）によって実行された機能を表わす機能ブロックになりえる。
【００６０】
図１７は、ここで記述された態様に従ってスイッチドモード電源（ＳＭＰＳ）でのスイッチング周波数のダイナミックな調整を可能にする例のシステムのブロックダイヤグラム９００を例証する。システム９００は、移動局（例えば、ＵＥ３１０）内に少なくとも一部分存在することができ、共同して動作することができる電子部品の論理グループ９１０を含むことができる。主題のイノベンションの一態様では、論理グループ９１０は、無線通信用の動作モードで情報を受信するための電子部品９１５；ピークロード電流を受信するための電子部品９２５；動作モードと互換性のあるＳＭＰＳの最適なスイッチング周波数を選択するための電子部品９３５；受信されたピークロード電流と互換性のあるＳＭＰＳの最適なスイッチング周波数を選択するための電子部品９４５を含んでいる。さらに、論理グループ９１０は、動作モードと互換性のある最適な周波数にＳＭＰＳのスイッチング周波数をセットするための電子部品９５５；受信されたピークロード電流と互換性のある最適なスイッチング周波数にＳＭＰＳのスイッチング周波数をセットするための電子部品９６５；品質に基づいたクロックソースを選択するための電子部品９６７を含んでいる。
【００６１】
システム９００は、そのような機能の実行中に生成されてもよい測定または計算されたデータと同様に、電子部品９１５、９２５、９３５、９４５、９５５、９６７に関連した機能を実行するための命令を保存するメモリ９７０を含むことができる。メモリ９７０の外部にあるとして示されたが、１つ以上の電子部品９１５、９２５、９３５、９４５、９５５、９６７は、メモリ１５７０内に存在することができることが理解される。
【００６２】
実例となる態様がスイッチドモード電源のための向上させられた周波数／クロックソースの選択から特に利益を得る無線通信について記述することは、現開示の利益で評価されるべきである。しかしながら、無線通信を含んでいないここで記述された態様と一致する出願は、利益を得る場合がある。例えば、ロードは、性能を下げるある周波数の電磁障害とコンパティビリティの問題に弱くなりえる。デバイスコンポーネントには、伝送モードの変更なしで発生する、変化する電源要件がありえる。さらに、適切で効率的な電源およびレギュレーションを提供する動機は、携帯機器に役立つことに制限する必要はない。例えば、より経済的な設計またはより少ないデバイス加熱は、よりよい周波数選択／クロックソース選択によって達成することができる。 
いくつかの態様では、主題のイノベンションが、スイッチング周波数をダイナミックに計測し、移動局でスイッチドモード電源（ＳＭＰＳ）のクロックソースを選択するためのシステムと方法を提供することは、断念の利益によって評価されるべきである。スイッチング周波数は、移動局によって使用された無線通信用の動作モードの変化、既に使用されたモードと同時に動作される補足モードの選択、動作モードに関連した帯域またはチャネルの変化、またはモバイルの機能性に関連したロードのセットの動作条件の変化に応じてダイナミックに調整される。ＳＭＰＳのスイッチング周波数は、スイッチング周波数のハーモニックが移動局によって受信したチャネルに落ちるときのように、または、レシーバ入力にある障害信号がスイッチング周波数のハーモニックに近い受信チャネルからの周波数分離を有しているときのように、そのような変更で開始された無線悪化を回避または緩和するために調整することができる。スイッチング周波数は、様々な動作モード、帯域またはチャネルで、最適な受信可能な周波数または周波数範囲に関連したルックアップテーブルから選ぶことができる。代わりにまたはさらに、受信可能な周波数は、受信可能なスイッチング周波数によって満たされなければならない数学的な制限として表された、１組の操作上の基準に対するモバイルに利用可能なスイッチング周波数の比較を通じて選択することができる。クロックソースのセットは、スイッチング周波数の集合を提供することができる。それは受信可能なスイッチング周波数に到達するために調整することができる。
【００６３】
ソフトウェア実行については、ここで記述された技術は、ここに記述した機能を実行するモジュール（例えば、手順、機能など）で実行されてもよい。ソフトウェアコードまたはコード命令は、記憶装置に格納またはコンピュータ可読媒体に記憶されてもよく、プロセッサによって実行される。記憶装置またはメモリは、様々な従来の手段によってプロセッサに通信でつなぐことができる場合に、プロセッサ内またはプロセッサの外部で実行されてもよい。
【００６４】
１つ以上の典型的な実施形態では、記述された機能は、ハードウェア、ソフトウェア、ファームウェアまたはそれらの任意の組合せで実行されてもよい。ソフトウェアで実行された場合、機能は、１つ以上の命令の上で格納または命令として送信されてもよいし、またはコンピュータ可読媒体上でコード化してもよい。コンピュータ可読媒体は、ある位置から別の位置へコンピュータプログラムの転送を助けるあらゆる媒体を含む、コンピュータ記憶媒体と通信媒体との両方を含んでいる。記憶媒体は、コンピュータによってアクセスすることができるあらゆる利用可能な媒体でもよい。例として、限定されず、そのようなコンピュータ可読媒体は、ＲＡＭ、ＲＯＭ、ＥＥＰＲＯＭ、ＣＤ−ＲＯＭまたは他の光学ディスク記憶装置、磁気ディスク記憶装置または他の磁気記憶装置、またはコンピュータによってアクセス可能で、命令またはデータ構造の形式で希望のプログラムコードを運ぶまたは格納するために使用することができる他の媒体を含むことができる。さらに、どんな接続も適切にコンピュータ可読媒体と称される。例えば、ソフトウェアが、同軸ケーブル、光ファイバケーブル、ツイストペア、デジタル加入者線（ＤＳＬ）または赤外線、無線およびマイクロ波のような無線技術を使用して、ウェブサイト、サーバまたは他の遠隔ソースから送信される場合、同軸ケーブル、光ファイバケーブル、ツイストペア、ＤＳＬまたは赤外線、無線およびマイクロ波のような無線技術は、媒体の定義に含まれる。ここで使用されるような、ディスク（Ｄｉｓｋ）とディスク（Ｄｉｓｃ）は、コンパクトディスク（ＣＤ）、レーザーディスク（登録商標）、光ディスク、デジタルバーサタイルディスク（ＤＶＤ）、フロッピー（登録商標）ディスクおよびブルーレイディスクを含んでいる。ここで、ディスク（Ｄｉｓｋ）は、通常磁気的にデータを再生し、ディスク（Ｄｉｓｃ）は、レーザーでデータを光学的に再生する。上記のものの組合せも、コンピュータ可読媒体の範囲内で含まれているべきである。
【００６５】
ここで使用されたような、用語「プロセッサ」は、シングルコア・プロセッサ；ソフトウェア・マルチスレッド実行能力を備えたシングル・プロセッサ；マルチコア・プロセッサ；ソフトウェア・マルチスレッド実行能力を備えたマルチコア・プロセッサ；ハードウェア・マルチスレッド技術を備えたマルチコア・プロセッサ；並列のプラットフォーム；分散共有メモリを備えた並列のプラットフォームを具備するが、限定されない。さらに、プロセッサは、集積回路、特定用途向け集積回路（ＡＳＩＣ）、デジタルシグナルプロセッサ（ＤＳＰ）、フィールドプログラマブルゲートアレイ（ＦＰＧＡ）、プログラマブル・ロジック制御装置（ＰＬＣ）、コンプレックス・プログラマブル・ロジック・デバイス（ＣＰＬＤ）、ディスクリートゲート、またはトランジスタ・ロジック、ディスクリートハードウェア機器またはここに記述された機能を行なうことを目指したこれらの任意の組合せを指すことができる。プロセッサは、スペース利用を最適化するまたはユーザ機器の性能を向上させるために、ナノ・スケールを開発することができる。プロセッサは、計算装置の組合せ、例えば、ＤＳＰとマイクロプロセッサの組合せ、複数のマイクロプロセッサ、ＤＳＰコアと共同する１以上のマイクロプロセッサまたは他のそのような構成、として実行されてもよい。
【００６６】
さらに、明細書の主題では、用語「メモリ」は、データ格納、アルゴリズム格納およびイメージ格納、デジタル音楽およびビデオ格納、チャートおよびデータベースのような、他の情報の格納を指すが、限定されない。ここで記述されたメモリコンポーネントが揮発性メモリまたは不揮発性メモリのいずれかになりえる、または、揮発性・不揮発性メモリの両方を含むことができることが認識されるだろう。実例として、限定されず、不揮発性メモリは、読み取り専用メモリ（ＲＯＭ）、プログラマブルＲＯＭ（ＰＲＯＭ）、電気プログラマブルＲＯＭ（ＥＰＲＯＭ）、電気消去可能プログラマブルＲＯＭ（ＥＥＰＲＯＭ）またはフラッシュメモリを含むことができる。揮発性メモリは、ランダムアクセスメモリセル（ＲＡＭ）を含むことができる。それは、外部キャッシュメモリとして働く。実例として、限定されず、ＲＡＭは、シンクロナスＲＡＭ（ＳＲＡＭ）、ダイナミックＲＡＭ（ＤＲＡＭ）、シンクロナスＤＲＡＭ（ＳＤＲＡＭ）、ダブルデータレートＳＤＲＡＭ（ＤＤＲ  ＳＤＲＡＭ）、エンハンスドＳＤＲＡＭ（ＥＳＤＲＡＭ）、シンクリンクＤＲＡＭ（ＳＬＤＲＡＭ）およびダイレクトラムバスＲＡＭ（ＤＲＲＡＭ）のような多くの形式で利用可能である。さらに、システムおよび／または方法の示されたメモリコンポーネントは、限定されずに、これらおよび他の適切なタイプのメモリを含むようにここに意図される。
【００６７】
上に記述されたものは、１つ以上の実施形態の例を含んでいる。それは、もちろん、前述の実施形態について記述する目的のためのコンポーネントまたは手順のすべての考えられる組合せについて記述することができる。しかし、当業者の１人は、多くのさらなる組合せおよび様々な実施形態の置換が可能であることを認識してもよい。従って、記述された実施形態は、添付された請求項の精神および範囲内にあるような修正（alteration）、改良（modification）および変更（variation）をすべて包含するように意図される。さらに、用語「含む（includes）」、「含んでいる（including）」、「所有する（possess）」および「所有する（possessing）」または「有する（has）」および「有している（having）」は明細書の主題の中で使用される点で、そのような用語は、請求項でトランジショナル用語として使用された場合に解釈される「具備する（comprising）」のように、用語「具備する（comprising）」に似ている様式を含むように意図される。
以下に、本願出願時の特許請求の範囲に記載された発明を付記する。
［１］  周波数計測可能なスイッチドモード電源（ＳＭＰＳ）をダイナミックに調整する方法であって、前記方法は、
ロードコンポーネント用の動作モードを決定することと、
前記動作モードの電源要件を決定することと、
前記電源要件に従って前記ロードコンポーネントの前記動作モードに電力を供給するために、ＳＭＰＳに適したスイッチング周波数ソースを選択することと、
を具備する。
［２］  異なるスイッチング周波数信号を各々生成して、複数のクロックソースのうちの１つを選択することをさらに具備する、前記［１］の方法。
［３］  線質（Ｑ）係数によって部分的にスイッチング周波数ソースを選択することをさらに具備する、
前記複数のクロックソースは、許容可能なスイッチング周波数をそれぞれ有し、異なるＱ係数を有する前記第１および第２クロックソースを具備する、前記［２］の方法。
［４］  ＳＭＰＳの安定動作を促進する適切なスイッチング周波数ソースを選択することをさらに具備する、前記［１］の方法。
［５］  前記動作モードのピークロード電流を具備する前記電源要件を決定することをさらに具備する、前記［１］の方法。
［６］  前記動作モードの平均ロード電流を具備する前記電源要件を決定することをさらに具備する、前記［１］の方法。
［７］  前記動作モードの公称電圧または電圧範囲を具備する前記電源要件を決定することをさらに具備する、前記［１］の方法。
［８］  前記動作モードの無線周波数感度を具備する前記電源要件を決定することをさらに具備する、前記［１］の方法。
［９］  前記無線周波数感度の帯域内にスイッチング周波数の整数の倍数を有するスイッチング周波数を選択することをさらに具備する、前記［８］の方法。
［１０］  前記無線周波数感度の帯域内に中心周波数を有するスイッチング周波数を選択することをさらに具備する、前記［８］の方法。
［１１］  前記動作モードの前記無線周波数感度は、電磁障害の影響を受けやすい隣接したコンポーネントにより発生する、前記［８］の方法。
［１２］  前記動作モードのピークロード電流および前記動作モードの前記無線周波数感度を具備する前記電源要件を決定することをさらに具備する、前記［８］方法。
［１３］  前記ロードコンポーネントの感知可能な無線周波数で弱められたスイッチング周波数スペクトルを生成するクロックソースを選択することをさらに具備する、前記［８］の方法。
［１４］  クロックソースの計測バージョンを選択することをさらに具備する、前記［８］の方法。
［１５］  ＳＭＰＳクロック発振ブロックを使用して、クロックソースの周波数を変更することにより、前記クロックソースの計測バージョンを選択することをさらに具備する、前記［１４］の方法。
［１６］  プログラマブル分周器モジュラスを備えた周波数分割器を具備するＳＭＰＳクロック発振ブロックを使用して、前記クロックソースの前記周波数を変更することをさらに具備する、前記［１５］の方法。
［１７］  前記ロードコンポーネント用の後の動作モードを決定することと、
前記後の動作モードの後の電源要件を決定することと、
前記後の電源要件に従って前記ロードコンポーネントの前記後の動作モードに電力を供給するために、ＳＭＰＳに適した別のスイッチング周波数ソースを選択することと、
をさらに具備する、前記［１］の方法。
［１８］  第２のロードコンポーネント用の同時動作モードを決定することと、
前記同時動作モードの第２の電源要件を決定することと、
前記第２の電源要件に従って前記第２のロードコンポーネントの前記同時動作モードに電力を供給するために、第２のＳＭＰＳに適した別のスイッチング周波数ソースを選択することと、
をさらに具備する、前記［１］の方法。
［１９］  前記第１および第２のＳＭＰＳは、同一である、前記［１８］の方法。 
［２０］  無線通信装置用の動作モードを決定することをさらに具備する、前記［１］の方法。
［２１］  変調フォーマットを具備する動作モードを決定することをさらに具備する、前記［２０］の方法。
［２２］  送信を可能にするハードウェアまたはソフトウェア構成の動作モードを決定すること、または、選択された変調フォーマットで信号を受け取ることをさらに具備する、前記［２１］の方法。
［２３］  格納されたルックアップデータ構造へのアクセスにより、前記電源要件を決定することをさらに具備する、前記［１］の方法。
［２４］  前記ロードコンポーネントによって消費電力と関係するパラメータを感知することにより、前記電源要件を決定することをさらに具備する、前記［１］の方法。
［２５］  消費電力と関係するパラメータを感知することにより、前記電源要件を決定することをさらに具備する、前記［１０］の方法。
［２６］  受入基準から利用可能なスイッチング周波数のセットを選別することと、
前記受入基準を満たす最も良い前記利用可能なスイッチング周波数のセットから１つのスイッチング周波数を選ぶことと、
によって、前記スイッチングを選択することをさらに具備する、前記［１］の方法。
［２７］  周波数計測可能なスイッチドモード電源（ＳＭＰＳ）をダイナミックに調整するための少なくとも１つのプロセッサであって、前記少なくとも１つのプロセッサは、
ロードコンポーネント用の動作モードを決定するための第１のモジュールと、
前記動作モードの電源要件を決定するための第２のモジュールと、
前記電源要件に従って前記ロードコンポーネントの前記動作モードに電力を供給するために、ＳＭＰＳに適したスイッチング周波数ソースを選択するための第３のモジュールと、
を具備する。
［２８］  周波数計測可能なスイッチドモード電源（ＳＭＰＳ）をダイナミックに調整するためのコンピュータプログラムプロダクトであって、
前記コンピュータプログラムプロダクトは、コンピュータ可読記憶媒体を具備し、
前記コンピュータ可読記憶媒体は、
コンピュータにロードコンポーネント用の動作モードを決定させるためのコードの第１のセットと、
コンピュータに前記動作モードの電源要件を決定させるためのコードの第２のセットと、
コンピュータに前記電源要件に従って前記ロードコンポーネントの前記動作モードに電力を供給するためにＳＭＰＳに適切したスイッチング周波数ソースを選択させるためのコードの第３のセットと、
を具備する。
［２９］  周波数計測可能なスイッチドモード電源（ＳＭＰＳ）をダイナミックに調整するための装置であって、前記装置は、
ロードコンポーネント用の動作モードを決定するための手段と、
前記動作モードの電源要件を決定するための手段と、
前記電源要件に従って前記ロードコンポーネントの前記動作モードに電力を供給するために、ＳＭＰＳに適したスイッチング周波数ソースを選択するための手段と、
を具備する。
［３０］  周波数計測可能なスイッチドモード電源（ＳＭＰＳ）をダイナミックに調整するための装置であって、前記装置は、
ロードコンポーネント用の動作モードを決定するためのモード検出器と、
前記動作モードの電源要件を決定するためのスイッチング周波数セレクタコンポーネントと、
前記ロードコンポーネントを供給するスイッチドモード電源（ＳＭＰＳ）と、
前記電源要件に従って前記ロードコンポーネントの前記動作モードに電力を供給するために、ＳＭＰＳに適したスイッチング周波数ソースを選択するためのスイッチング周波数セレクタコンポーネントと、
を具備する。
［３１］  前記スイッチング周波数セレクタコンポーネントは、さらに、複数のクロックソースのうちの１つの選択によりスイッチング周波数を選択する、前記［３０］の装置。
［３２］  前記スイッチング周波数セレクタコンポーネントは、さらに、線質（Ｑ）係数によって部分的にスイッチング周波数ソースを選択する、
前記複数のクロックソースは、受入可能なそれぞれのスイッチング周波数を有し、異なるＱ係数を有する第１および第２のクロックソースを具備する、
前記［３１］の装置。
［３３］  前記スイッチング周波数セレクタコンポーネントは、さらに、前記ＳＭＰＳの安定動作を促進する適切なスイッチング周波数ソースを選択する、前記［３０］の装置。
［３４］  前記周波数セレクタコンポーネントは、さらに、前記動作モードのピークロード電流を具備する前記電源要件を決定する、前記［３０］の装置。
［３５］  前記スイッチング周波数セレクタコンポーネントは、さらに、前記動作モードの平均ロード電流を具備する前記電源要件を決定する、前記［３０］の装置。 
［３６］  前記スイッチング周波数セレクタコンポーネントは、さらに、前記動作モードの公称電圧または電圧範囲を具備する前記電源要件を決定する、前記［３０］の装置。
［３７］  前記スイッチング周波数セレクタコンポーネントは、さらに、前記動作モードの無線周波数感度を具備する前記電源要件を決定するための前記周波数セレクタコンポーネントである、前記［３０］の装置。
［３８］  前記スイッチング周波数セレクタコンポーネントは、さらに、無線周波数感度の帯域内にスイッチング周波数の整数の倍数を有するスイッチング周波数を選択する、前記［３０］の装置。
［３９］  前記スイッチング周波数セレクタコンポーネントは、さらに、前記無線周波数感度の帯域内に中心周波数を有するスイッチング周波数を選択する、前記［３７］の装置。
［４０］  前記動作モードの前記無線周波数感度は、電磁障害の影響を受けやすい隣接したコンポーネントにより発生する、前記［３７］の装置。
［４１］  前記周波数セレクタコンポーネントは、さらに、前記動作モードのピークロード電流および前記動作モードの前記無線周波数感度を具備する前記電源要件を決定する、前記［３７］の装置。
［４２］  前記ロードコンポーネントの感知可能な無線周波数で弱められたスイッチング周波数スペクトルを生成するクロックソースを選択するための前記周波数セレクタコンポーネントをさらに具備する、前記［３７］の装置。
［４３］  クロックソースの計測バージョンを選択するための前記周波数セレクタコンポーネントをさらに具備する、前記［３７］の装置。
［４４］  前記スイッチング周波数セレクタコンポーネントは、さらに、ＳＭＰＳクロック発振ブロックを使用して、クロックソースの周波数を変更することにより、前記クロックソースの計測バージョンを選択する、前記［４３］の装置。
［４５］  前記スイッチング周波数セレクタコンポーネントは、さらに、プログラマブル分周器モジュラスを備えた周波数分割器を具備するＳＭＰＳクロック発振ブロックを使用して、前記クロックソースの周波数を変更する、前記［４３］の装置。
［４６］  前記モード検出器は、さらに、前記ロードコンポーネント用の後の動作モードの情報を受信する、
前記周波数セレクタコンポーネントは、さらに、前記後の動作モードの後の電源要件を決定する、
前記周波数セレクタコンポーネントは、さらに、前記後の電源要件に従って前記ロードコンポーネントの前記後の動作モードに電力を供給するためにＳＭＰＳに適した別のスイッチング周波数ソースの選択する、前記［３０］の装置。
［４７］  第２のロードコンポーネント用の同時動作モードの情報を受信するための第２のモード検出器と、
前記第２のロードコンポーネントを供給する第２のＳＭＰＳと、
前記同時動作モードの第２の電源要件を決定するための、および、前記第２の電源要件に従って前記第２のロードコンポーネントの前記同時動作モードに電力を供給するために前記第２のＳＭＰＳに適した別のスイッチング周波数ソースを選択するための第２の周波数セレクタコンポーネントと、
をさらに具備する、前記［３０］の装置。
［４８］  前記第１および第２のＳＭＰＳは、同一である、前記［４７］の装置。
［４９］  無線通信装置用の動作モードを決定することをさらに具備する、前記［３０］の装置。
［５０］  前記モード検出器は、さらに、変調フォーマットを具備する動作モードを決定する、前記［４９］の装置。
［５１］  前記モード検出器は、さらに、送信を可能にするハードウェアまたはソフトウェア構成の動作モードを決定する、または、選択された変調フォーマットで信号を受け取る、前記［５０］の装置。
［５２］  前記スイッチング周波数セレクタコンポーネントは、さらに、格納されたルックアップデータ構造へのアクセスにより、前記電源要件を決定する、前記［３０］の装置。
［５３］  前記スイッチング周波数セレクタコンポーネントは、さらに、前記ロードコンポーネントによって消費電力と関係するパラメータを感知することにより、前記電源要件を決定する、前記［３０］の装置。
［５４］  前記スイッチング周波数セレクタコンポーネントは、さらに、消費電力と関係するパラメータを感知することにより、前記電源要件を決定する、前記［５３］の装置。
［５５］  前記スイッチング周波数セレクタコンポーネントは、さらに、
受入基準から利用可能なスイッチング周波数のセットを選別することと、
前記受入基準を満たす最も良い前記利用可能なスイッチング周波数のセットから１つのスイッチング周波数を選ぶことと、
によって、前記スイッチングを選択する、前記［３０］の装置。
【図１】
0005566996.tif 000002
【図２】
0005566996.tif 000003
【図３】
0005566996.tif 000004
【図４】
0005566996.tif 000005
【図５】
0005566996.tif 000006
【図６】
0005566996.tif 000007
【図７】
0005566996.tif 000008
【図８】
0005566996.tif 000009
【図９】
0005566996.tif 000010
【図１０】
0005566996.tif 000011
【図１１】
0005566996.tif 000012
【図１２】
0005566996.tif 000013
【図１３】
0005566996.tif 000014
【図１４】
0005566996.tif 000015
【図１５】
0005566996.tif 000016
【図１６】
0005566996.tif 000017
【図１７】
0005566996.tif 000018